(57)【要約】  本発明は、直鎖および／または分岐ならびに環状脂肪族ポリイソシアネートで調製されたコア−シェルカプセルに関する。詳しくは、本発明は、コア−シェルカプセルであって、シェルは、２種類の構成要素を反応させることによって製造されるかまたは製造可能であるポリマー材料を含むかまたはからなり、第１の構成要素は、それぞれ２個以上のイソシアネート基を有する少なくとも１種類の直鎖脂肪族ポリイソシアネートおよび／または２個以上のイソシアネート基を有する少なくとも１種類の分岐脂肪族ポリイソシアネートと２個以上のイオシアネート基を有する少なくとも１種類の環状脂肪族ポリイソシアネートとを含むかまたはからなり、第２の成分は、１種類以上の架橋剤を含むかまたはからなるコア−シェルカプセルを開示する。さらに、本コア−シェルカプセルを含む製品、本コア−シェルカプセルを製造するためのプロセスおよび本コア−シェルカプセルの使用が提供される。【選択図】なし
2021528226.tif 000002
【特許請求の範囲】
【請求項１】
コア−シェルカプセルであって、前記シェルは、ポリマー材料を含むかまたはからなり、前記ポリマー材料は、構成要素（Ａ）を構成要素（Ｂ）と反応させることによって製造されるかまたは製造可能である、コア−シェルカプセルであって、
構成要素（Ａ）は、それぞれ２個以上のイソシアネート基を有する少なくとも１種類の直鎖脂肪族ポリイソシアネートおよび／または少なくとも１種類の分岐脂肪族ポリイソシアネートと２個以上のイソシアネート基を有する少なくとも１種類の環状脂肪族ポリイソシアネートとを含むかまたはからなり、好ましくは、前記環状脂肪族ポリイソシアネートの総量に対する前記直鎖および／または分岐脂肪族ポリイソシアネートの総量の重量比は、９０：１０〜１０：９０、好ましくは７０：３０〜１５：８５、より好ましくは６０：４０〜２０：８０、最も好ましくは５０：５０〜２０：８０の範囲にあり、
構成要素（Ｂ）は、１種類以上の架橋剤を含むかまたはからなる、
コア−シェルカプセル。
【請求項２】
構成要素（Ａ）の前記少なくとも１種類の直鎖および／または前記少なくとも１種類の分岐脂肪族ポリイソシアネートと前記少なくとも１種類の環状脂肪族ポリイソシアネートとのどれも芳香族構造をまったく含まない、請求項１に記載のコア−シェルカプセル。
【請求項３】
前記直鎖または分岐脂肪族ポリイソシアネートは、ペンタメチレンジイソシアネート、ヘキサメチレンジイソシアネート、エチルエステルリジントリイソシアネート、リジンジイソシアネートエチルエステルおよびそれらの誘導体からなる群から選ばれ、好ましくは、前記誘導体の各々は、２個以上のイソシアネート基を含み、任意選択として、ビウレット、イソシアヌレート、ウレトジオン、イミノオキサジアジンジオンおよびトリメチロールプロパン付加体からなる群から選ばれた１種類以上の基をさらに含み、および／または
前記環状脂肪族ポリイソシアネートは、イソホロンジイソシアネート、１，３−ビス（イソシアナトメチル）シクロヘキサン、１，２−ビス（イソシアナトメチル）シクロヘキサン、１，４−ビス（イソシアナトメチル）シクロヘキサン、メチレンビス（シクロヘキシルイソシアネート）およびそれらの誘導体からなる群から選ばれ、好ましくは、前記誘導体の各々は、２個以上のイソシアネート基を含み、ビウレット、イソシアヌレート、ウレトジオン、イミノオキサジアジンジオンおよびトリメチロールプロパン付加体からなる群から選ばれた１つ以上の基を任意選択としてさらに含む、
請求項１または２に記載のコア−シェルカプセル。
【請求項４】
前記架橋剤は、２個以上のアミノ基を有するポリアミンまたはその塩、好ましくはジアミンまたはグアニジンであり、好ましくは、前記架橋剤は、炭酸グアニジン、塩酸グアニジン、トリス（２−アミノエチル）アミン、エチレンジアミン、ブチレンジアミン、プロパンジアミン、ペンタン−１，５−ジアミン、フェニレンジアミン、および直鎖または分岐ポリエチレンイミン、好ましくはジエチレントリアミンからなる群から選ばれる、請求項１〜３のいずれか一項に記載のコア−シェルカプセル。
【請求項５】
前記カプセルは、マイクロカプセルであり、好ましくは、２〜５００μｍ、より好ましくは１０〜５０μｍの直径を有するマイクロカプセルである、請求項１〜４のいずれか一項に記載のコア−シェルカプセル。
【請求項６】
前記反応は、構成要素（Ａ）を含むかまたはからなる第１の相を、構成要素（Ｂ）を含むかまたはからなる第２の相と接触させることを含む界面反応であり、好ましくは、（ｉ）構成要素（Ａ）の前記ポリイソシアネートは、水不溶性であり、および／または（ｉｉ）構成要素（Ｂ）の前記架橋剤は、水溶性である、請求項１〜５のいずれか一項に記載のコア−シェルカプセル。
【請求項７】
前記第１の相は、前記界面反応の前に前記第２の相中に分散され、前記第１の相は、前記コアの１種類以上のさらなる成分をさらに含み、好ましくは、前記さらなる成分は、構成要素（Ａ）に対して不活性である、請求項６に記載のコア−シェルカプセル。
【請求項８】
前記第２の相は、前記第１の相の凝集を妨げる１種類以上のコロイド安定剤をさらに含み、好ましくは、前記安定剤は、セルロース誘導体、好ましくはカルボキシメチルセルロースまたはその塩、低分子界面活性剤、ポリエチレンオキシド、およびポリビニルアルコール、ポリカチオン、好ましくはカチオン性ポリビニルアルコール、およびポリアニオン、好ましくはポリスチレンスルホネート、ポリアクリルアミドスルホネートおよびそれらの誘導体からなる群から選ばれる、請求項６または７に記載のコア−シェルカプセル。
【請求項９】
構成要素（Ｂ）は、構成要素（Ａ）中に存在するイソシアネート基の１モルあたり０，５〜４モル、好ましくは０，８〜２モルのアミノ基を含む、請求項４〜８のいずれか一項に記載のコア−シェルカプセル。
【請求項１０】
前記コアは、匂い物質、アロマ分子、冷却剤、ＴＲＰＶ１／ＴＲＰＶ３モジュレータ、染料、染料前駆体、相変化材料、化学反応用触媒、接着剤、接着剤用途のための反応性物質、医薬品活性物質、紫外線フィルター、化粧品活性物質、植物保護活性物質、駆虫剤、撥水剤、難燃剤、農薬、潤滑剤および溶媒からなる群から選ばれた１種類以上のさらなる成分を含む、請求項１または９のいずれか一項に記載のコア−シェルカプセル。
【請求項１１】
請求項１〜１０のいずれか一項に記載のコア−シェルカプセルを含む製品、好ましくは着香製品であって、好ましくは、前記製品は、パーソナルケア製品、ホームケア製品および衣料品洗濯ケア製品からなる群から選ばれた消費者商品である製品。
【請求項１２】
コア−シェルカプセル、好ましくは請求項１〜１０のいずれか一項に記載のコア−シェルカプセルを製造するためのプロセスであって、
（ｉ）それぞれ２個以上のイソシアネート基を有する少なくとも１種類の直鎖脂肪族ポリイソシアネートおよび／または少なくとも１種類の分岐脂肪族ポリイソシアネートと、２個以上のイソシアネート基を有する少なくとも１種類の環状脂肪族ポリイソシアネートと、１種類以上のさらなるカプセル化される成分と、任意選択として１種類以上の溶媒とを準備するステップであって、
好ましくは、前記環状脂肪族ポリイソシアネートの総量に対する前記直鎖および／または分岐脂肪族ポリイソシアネートの総量の重量比は、９０：１０〜１０：９０、好ましくは７０：３０〜１５：８５、より好ましくは６０：４０〜２０：８０、最も好ましくは５０：５０〜２０：８０の範囲にあるステップと、
（ｉｉ）１種類以上の架橋剤を準備するステップと、
（ｉｉｉ）ステップ（ｉ）の構成要素を含む溶液（１）を製造するステップであって、適用可能な場合、溶液（１）は、水溶性でないステップと、
（ｉｖ）ステップ（ｉｉ）の構成要素の水溶液（２）中の溶液（１）の分散物を製造するステップであって、任意選択として、前記水溶液（２）は、クレーム８において定義される１種類以上のコロイド安定剤をさらに含むステップと、
（ｖ）溶液（１）のポリイソシアネートを溶液（２）の架橋剤と反応させるステップと、
（ｖｉ）任意選択として、続いて前記反応混合物の温度を４０〜８０℃の範囲に０．５〜５時間維持するステップと、
を含み、好ましくは、前記プロセスのステップのいずれにおいても芳香族ポリイソシアネートが、提供も反応も使用もされないプロセス。
【請求項１３】
ステップ（ｉ）の前記直鎖または分岐脂肪族ポリイソシアネートは、ペンタメチレンジイソシアネート、ヘキサメチレンジイソシアネート、エチルエステルリジントリイソシアネート、リジンジイソシアネートエチルエステルおよびそれらの誘導体からなる群から選ばれ、好ましくは、前記誘導体の各々は、２個以上のイソシアネート基を含み、ビウレット、イソシアヌレート、ウレトジオン、イミノオキサジアジンジオンおよびトリメチロールプロパン付加体からなる群から選ばれた１種類以上の基を任意選択としてさらに含み、および／または、
ステップ（ｉ）の環状脂肪族ポリイソシアネートは、イソホロンジイソシアネート、１，３−ビス（イソシアナトメチル）シクロヘキサン、１，２−ビス（イソシアナトメチル）シクロヘキサン、１，４−ビス（イソシアナトメチル）シクロヘキサン、メチレンビス（シクロヘキシルイソシアネート）およびそれらの誘導体からなる群から選ばれ、好ましくは、前記誘導体の各々は、２個以上のイソシアネート基を含み、ビウレット、イソシアヌレート、ウレトジオン、イミノオキサジアジンジオンおよびトリメチロールプロパン付加体からなる群から選ばれた１個以上の基を任意選択としてさらに含む、
請求項１２に記載のプロセス。
【請求項１４】
請求項１２または１３において定義されるプロセスによって製造されるかまたは製造可能な、請求項１〜１０のいずれか一項に記載のコア−シェルカプセル。
【請求項１５】
衣類、髪、皮膚、表面および／または環境空気に着香するための、請求項１〜１０または１４のいずれか一項に記載のコア−シェルカプセル、または好ましくは請求項１１に記載の製品の使用。
【発明の詳細な説明】
【技術分野】
【０００１】
本発明は、直鎖および／または分岐脂肪族ポリイソシアネートと環状脂肪族ポリイソシアネートとで調製されたコア−シェルカプセルに関する。詳しくは、本発明は、コア−シェルカプセルであって、シェルは、２種類の構成要素を反応させることによって製造されるかまたは製造可能であるポリマー材料を含むかまたはからなり、第１の構成要素は、それぞれ２個以上のイソシアネート基を有する少なくとも１種類の直鎖脂肪族ポリイソシアネートおよび／または少なくとも１種類の分岐脂肪族ポリイソシアネートと２個以上のイソシアネート基を有する少なくとも１種類の環状脂肪族ポリイソシアネートとを含むかまたはからなり、第２の構成要素は、１種類以上の架橋剤を含むかまたはからなるコア−シェルカプセルを開示する。さらに、本コア−シェルカプセルを含む製品、本コア−シェルカプセルを製造するためのプロセスおよび本コア−シェルカプセルの使用が提供される。
【背景技術】
【０００２】
一般に、産業界においては芳香物質または芳香物質混合物を含む新しい調合物を提供することが常に求められている。例えば洗浄剤、衣類用柔軟剤、粉末洗剤、衣料用液体洗剤、シャワー用ジェル、シャンプー、デオドラント、ボディーローション等を含む多種多様な種々の使用分野に向けた香料、香気混合物（香料組成物）および賦香において、複数の異なる香調を有する芳香物質混合物が数多くかつ無数に形を変えて用いられている。
【０００３】
新しい香調を求める消費者の高まって行く需要に起因して、香料業界においては新規な芳香物質混合物だけでなく、例えば種々の環境における香調の放出の改善および芳香物質混合物の安定性を提供する新しい調合物も常に求められている。より詳しくは、新規な芳香物質混合物の場合における焦点は、主に、それらがそれらの一次的な性質すなわちそれらの嗅覚上の性質に加えて、追加の有益な二次的性質、例えば、特定の使用条件において高くなる安定性、高い存在量、高い輝き、良好な拡散性（すなわち良好な空間効果）、ふくよかさ、強力さおよび／または自然さ、匂いを強める性質および／またはさらに好ましくは皮膚適合性、良好な溶解性、および毒物学的な適合性を有することに向けられている。
【０００４】
詳しくは、芳香物質と調合物の他の構成物との相互作用またはより軽い揮発性の香料構成要素の時機尚早な蒸発が非常に頻繁に起きる。一般に、このことは、香料の嗅覚印象が変化するかまたは完全に消失することにつながる。
【０００５】
そのような芳香物質混合物のカプセル化は、着香製品中の相互作用またはわずかに揮発性の構成物の蒸発を減少させるかまたは完全に妨げる可能性を提供する。マイクロカプセルの使用は、精密に定義された条件における成分の放出を提供する。従って、例えば、芳香物質を封じ込むマイクロカプセルの場合、一般にマイクロカプセルが環境条件（例えば酸化性の化合物）に敏感である芳香物質を貯蔵中に安定であるように囲い込むことと、所望の芳香発揮の時だけにマイクロカプセルが機械的応力によって壊れて開くこととが必要である。
【０００６】
コア／シェルカプセルは、通常、水相中のコア材料の微細な分散によって製造される。次に、コアセルベーションプロセスまたはインサイチュ重合において水相から壁材料が析出し、油滴を囲い込む。従って、油滴のサイズがそのまま次段のカプセルコアのサイズを決定する。そのようなインサイチュ重合において、壁材料としてアミノプラストが非常に頻繁に使用される。これらのアミノプラストは、非常に頻繁にメラミンとホルムアルデヒドまたは他のアミン構成要素もしくはアルデヒドの縮合に基づく。そのようなマイクロカプセルを製造するための方法は、当分野において公知である。
【０００７】
特許文献１は、匂い物質を囲い込んでいるコア−シェルマイクロカプセルであって、シェルが、１個以上のアミノ基と１個以上のポリイソシアネートとを有する１種類以上のポリシロキサンでできているコア−シェルマイクロカプセルを開示している。特許文献２は、ポリイソシアネートをグアニジン化合物と反応させることによって得られる壁を有するマイクロカプセルであって、ポリイソシアネートが、ヘキサメチレンジイソシアネートオリゴマーからなるマイクロカプセルを開示している。
【先行技術文献】
【特許文献】
【０００８】
【特許文献１】米国特許出願公開第２０１１／１１８１６１（Ａ１）号
【特許文献２】米国特許第６，５８６，１０７（Ｂ２）号
【発明の概要】
【課題を解決するための手段】
【０００９】
当分野においては、それぞれの用途のために、例えば洗浄剤、衣類用柔軟剤、粉末洗剤、衣料用液体洗剤、シャワー用ジェル、シャンプー、デオドラント、ボディーローションおよびその他の化粧製品において、改良された安定性および改良された放出特性の点で改良されたシェル構造を有するマイクロカプセルの提供が依然として求められている。マイクロカプセルの提供における別の目的は、一方ではシェルが利用基材中の貯蔵時に消費者製品の最終使用前の匂い／アロマ化合物の滲み出しを防ぐのに十分なほど安定であり、他方ではカプセルの中身の放出が高すぎるシェル材料の安定性に起因して完全に抑制されないようなシェル材料の十分な安定性である。さらに別の目的は、匂いを含む改良された感覚特性を有するマイクロカプセルの提供にある。
【００１０】
第１の側面によれば、本発明は、従って、コア−シェルカプセルであって、シェルは、ポリマー材料を含むかまたはからなり、ポリマー材料は、構成要素（Ａ）を構成要素（Ｂ）と反応させることによって製造されるかまたは製造可能であり、
構成要素（Ａ）は、それぞれ２個以上のイソシアネート基を有する少なくとも１種類の直鎖脂肪族ポリイソシアネートおよび／または少なくとも１種類の分岐脂肪族ポリイソシアネートと２個以上のイソシアネート基を有する少なくとも１種類の環状脂肪族ポリイソシアネートとを含むかまたはからなり、好ましくは、前記環状脂肪族ポリイソシアネートの総量に対する前記直鎖および／または分岐脂肪族ポリイソシアネートの総量の重量比は、９０：１０〜１０：９０、好ましくは７０：３０〜１５：８５、より好ましくは６０：４０〜２０：８０、最も好ましくは５０：５０〜２０：８０の範囲にあり、
構成要素（Ｂ）は、１種類以上の架橋剤を含むかまたはからなる、
コア−シェルカプセルの提供に関する。
【００１１】
本発明は、本コア−シェルカプセルを含む製品、好ましくは着香製品、本コア−シェルカプセルを製造するためのプロセスおよび衣類、髪、皮膚、表面および／または環境空気を着香する本コア−シェルカプセル、または好ましくは本製品の使用も提供する。
【００１２】
本発明は、特定のイソシアネートを反応させると改善された分析特性および感覚特性を有するコア−シェルマイクロカプセルを提供するという発見に基づく。詳しくは、本発明者らは、それぞれ２個以上のイソシアネート基を有する少なくとも１種類の直鎖脂肪族ポリイソシアネートおよび／または少なくとも１種類の分岐脂肪族ポリイソシアネートと２個以上のイソシアネート基を有する少なくとも１種類の環状脂肪族ポリイソシアネートとの組合せをあらゆる適当な架橋剤と反応させると、シェル材料の優れた材料特性を示すシェル構造体が得られる結果となり、その結果、シェルは、カプセル化された活性成分、特に芳香物質／匂い化合物の滲み出しにつながるような早すぎる破損／漏出もせず、高すぎるシェル材料の安定性に起因して遅すぎる破損／漏出をするかまたは完全に妨げられることもないことを見いだした。驚くべきことに、本ポリイソシアネートの組合せは、多種多様な活性成分、特に芳香物質に本コア−シェルカプセルに加えられる機械的な負荷の量および／または時間に応じて（化学的）安定性と、放出時間を含む放出プロファイルを調節するための可能性とを提供することがさらに見いだされた。
【００１３】
本コア−シェルカプセルは、活性成分、好ましくは匂い物質／芳香物質の徐放を提供するので、シェルの破損後の匂いの発揮という点で改善された感覚特性が得られる。本発明による本コア−シェルカプセルは、活性成分と反応しない化合物の使用を可能にするだけでなくカプセルシェルに十分な安定性も長期間提供する。
【００１４】
いかなる理論にも束縛されることは望まないが、今のところ、特に、２個以上のイソシアネート基を有する少なくとも１種類の環状脂肪族ポリイソシアネートとの組合せが、種々の濃度において、反応したイソシアネートの少なくとも部分的な遮蔽を生じる結果となると考えられる。言い換えると、少なくとも部分的にポリマー材料を破損／分解／穿孔する化合物の接近が立体的に禁止される。
【００１５】
本明細書において用いられる用語「イソシアネート」は、式Ｒ−Ｎ＝Ｃ＝Ｏを有する官能基を指す。少なくとも２個のイソシアネート基、すなわち少なく２、３、４、５、６、７、８、９、１０、１１、１２、１３、１４、１５、２０、５０、１００、２５０個のイソシアネート基を有する化合物がポリイソシアネートとして参照される。
【００１６】
本明細書において用語「脂肪族ポリイソシアネート」によって記載される分子は、非芳香族である（下記に定義される）あらゆるポリイソシアネートを指す。さらに、前記分子は、同じ脂肪族分子の対応する数の異なるＣ−原子に直接結合されている少なくとも２個のイソシアネート基、すなわち少なくとも２、３、４、５、６、７、８、９、１０、１１、１２、１３、１４、１５、２０、５０、１００、２５０個のイソシアネート基を含む。少なくとも２個のイソシアネート基が直接結合している同じ脂肪族分子の前記少なくとも２個のＣ−原子、すなわち少なくとも２、３、４、５、６、７、８、９、１０、１１、１２、１３、１４、１５、２０、５０、１００、２５０個のＣ−原子は、非芳香族である、すなわち４ｎ＋２個のπ−電子を有する共役二重結合を有する平面環状分子の一部を形成しない。より好ましくは、同じ脂肪族分子の前記少なくとも２個のＣ−原子、すなわち少なくとも２、３、４、５、６、７、８、９、１０、１１、１２、１３、１４、１５、２０、５０、１００、２５０個のＣ−原子は、ｓｐ２−混成していない。従って、例えば、タイプＲ1Ｒ2Ｃ＝ＣＲ3ＮＣＯ、式中、Ｒ1、Ｒ2および／またはＲ3は、少なくとも１個の（追加の）イソシアネート基を示す、の構造は、包含されない。さらにより好ましくは、同じ脂肪族分子の少なくとも２個のＣ−原子、すなわち少なくとも２、３、４、５、６、７、８、９、１０、１１、１２、１３、１４、１５、２０、５０、１００、２５０個のＣ−原子は、ｓｐ３−混成している、すなわちイソシアネート基に加えて３個の他の置換基を示す。２個以上のイソシアネート基（上記で定義される）を有する同じ脂肪族分子の前記少なくとも２個のＣ−原子、すなわち少なくとも２、３、４、５、６、７、８、９、１０、１１、１２、１３、１４、１５、２０、５０、１００、２５０個のＣ−原子を除けば、前記脂肪族ポリイソシアネート分子は、１個以上のヘテロ原子、例えば窒素、酸素、リンおよび／または硫黄、芳香族構造およびｓｐ、ｓｐ2および／またはｓｐ3−混成している追加のＣ−原子を含めて、あらゆる構造を含み得る。
【００１７】
少なくとも２個のイソシアネート基、すなわち少なくとも２、３、４、５、６、７、８、９、１０、１１、１２、１３、１４、１５、２０、５０、１００、２５０個のイソシアネート基を有する前記脂肪族ポリイソシアネート分子は、さらに、直鎖、分岐、または環状であってよく（本発明の第１の側面に関して上記で定義されるように）、例えば、脂肪族置換基、芳香族置換基、ヘテロ原子、例えばハロゲン、特にフッ素、塩素、臭素および／またはヨウ素、および／または他の官能基、例えばアルコキシ基を含むあらゆる置換形を示し得る。
【００１８】
好ましい実施形態によれば、構成要素（Ａ）の少なくとも１種類の直鎖および／または少なくとも１種類の分岐脂肪族ポリイソシアネートならびに少なくとも１種類の環状脂肪族ポリイソシアネートのどれも芳香族構造をまったく含まない（すなわち、それぞれの分子は、いかなる芳香族構造もまったく含まない）。
【００１９】
別の好ましい実施形態によれば、構成要素（Ａ）の少なくとも１種類の直鎖脂肪族ポリイソシアネートは、いかなる芳香族構造も含まないが、構成要素（Ａ）の少なくとも１種類の分岐脂肪族ポリイソシアネート（存在する場合）および少なくとも１種類の環状脂肪族ポリイソシアネートは、芳香族構造を含む。
【００２０】
別の好ましい実施形態によれば、構成要素（Ａ）の少なくとも１種類の分岐脂肪族ポリイソシアネートは、いかなる芳香族構造も含まないが、構成要素（Ａ）の少なくとも１種類の直鎖脂肪族ポリイソシアネート（存在する場合）および少なくとも１種類の環状脂肪族ポリイソシアネートは、芳香族構造を含む。
【００２１】
別の好ましい実施形態によれば、構成要素（Ａ）の少なくとも１種類の環状脂肪族ポリイソシアネートは、いかなる芳香族構造も含まないが、構成要素（Ａ）の該少なくとも１種類の直鎖および／または分岐脂肪族ポリイソシアネートは、芳香族構造を含む。
【００２２】
さらに別の好ましい実施形態によれば、構成要素（Ａ）の少なくとも１種類の直鎖脂肪族ポリイソシアネートおよび／または少なくとも１種類の分岐脂肪族ポリイソシアネートは、いかなる芳香族構造も含まないが、構成要素（Ａ）の少なくとも１種類の環状脂肪族ポリイソシアネートは、芳香族構造を含む。
【００２３】
直鎖脂肪族ポリイソシアネート分子は、好ましくは、Ｃ2〜Ｃ20、好ましくはＣ3〜Ｃ15、Ｃ4〜Ｃ12、Ｃ5〜Ｃ10、Ｃ6〜Ｃ9、またはＣ7〜Ｃ8の直鎖アルキルから選択される。好ましくは、直鎖脂肪族分子は、いかなる芳香族構造および／またはいかなる環状構造も包含しない。
【００２４】
分岐脂肪族ポリイソシアネート分子は、好ましくは、Ｃ2〜Ｃ20、好ましくはＣ3〜Ｃ15、Ｃ4〜Ｃ12、Ｃ5〜Ｃ10、Ｃ6〜Ｃ9、またはＣ7〜Ｃ8の分岐アルキルから選択される。好ましくは、分岐脂肪族分子は、いかなる芳香族構造および／またはいかなる環状構造も包含しない。
【００２５】
環状脂肪族ポリイソシアネート分子は、少なくとも１個、すなわち１、２、３、４または５個以上の非芳香族環構造を含み、好ましくは、環構造自体は、Ｃ−原子からなるだけであり、環構造のＣ−原子のすべては、ｓｐ3−混成している。当然のこととして、環構造のＣ−原子は、適切な置換基を含み得る。少なくとも１個の環構造は、好ましくは、互いに独立に３、４、５、６、７または８員環から構成される。好ましくは、環状脂肪族分子は、２〜２０個のＣ−原子、例えば３〜１５、４〜１２、５〜１０、６〜９、または７〜８個のＣ−原子を含む。
【００２６】
直鎖脂肪族ポリイソシアネートおよび／または分岐脂肪族ポリイソシアネートで形成されたイソシアヌレート、イミノオキサジアジンジオンおよび／またはウレトジオンが本発明による環状脂肪族ポリイソシアネートでないことは、直ちに理解されるだろう。好ましくは、いかなるイソシアヌレート、イミノオキサジアジンジオンおよび／またはウレトジオン構造も本発明による環状脂肪族ポリイソシアネートではない。
【００２７】
直鎖、分岐および環状脂肪族ポリイソシアネートは、それぞれモノマーまたはポリマーとして存在し得る。モノマー形ポリイソシアネートは、特に該１種類以上の架橋剤を介して別の分子と相互結合していない分子である。ポリマー形ポリイソシアネートは、該１種類以上の架橋剤によって相互結合している少なくとも２個のモノマーを包含する。該少なくとも２個のモノマーが必ずしも同じモノマーではなく異なり得ることも直ちに理解されるだろう。ポリマー形ポリイソシアネートは、好ましくは、該少なくとも１種類の架橋剤によって相互結合している少なくとも２個以上のモノマー、すなわち少なくとも２、３、４、５、１０、２０、３０、４０、５０または１００個のモノマーを含む。
【００２８】
直鎖、分岐および／または環状脂肪族ポリイソシアネートは、好ましくは、それぞれ、限られたサイズ／分子量を示し、該１種類以上の架橋剤との反応性を可能にする。適当な分子量の例は、好ましくは、約１００ｇ／モル〜５×１０4ｇ／モル、好ましくは１２０ｇ／モル〜２×１０4ｇ／モル、１４０ｇ／モル〜１０4ｇ／モル、１６０ｇ／モル〜５×１０3ｇ／モル、１８０ｇ／モル〜２×１０3ｇ／モル、２００ｇ／モル〜１０3ｇ／モル、２２０ｇ／モル〜９００ｇ／モル、２４０ｇ／モル〜８００ｇ／モル、２６０ｇ／モル〜７００ｇ／モル、２８０ｇ／モル〜６００ｇ／モル、３００ｇ／モル〜５００ｇ／モル、３２０ｇ／モル〜４５０ｇ／モル、または３４０ｇ／モル〜４００ｇ／モルを含む。
【００２９】
あらゆる数の異なる直鎖、分岐および／または環状脂肪族ポリイソシアネートが使用され得る。例えば、少なくとも１種類、すなわち少なくとも１、２、３、４、５、６、７、８、９、１０種類の異なる直鎖脂肪族ポリイソシアネートが使用される。例えば、少なくとも１種類、すなわち少なくとも１、２、３、４、５、６、７、８、９、１０種類の異なる分岐脂肪族ポリイソシアネートが使用される。例えば、少なくとも１種類、すなわち少なくとも１、２、３、４、５、６、７、８、９、１０種類の異なる分岐環状ポリイソシアネートが用いられる。
【００３０】
化合物（Ｂ）の「架橋剤」とは、安定な結合を形成しながらイソシアネートと反応することができる少なくとも２個の官能基を有するあらゆる化合物を指す。架橋剤は、好ましくは、安定な結合を形成しながらイソシアネートと反応することができる少なくとも２、３、４、５、６、７、８、９または１０個の官能基を含む。
【００３１】
そのような架橋剤が構成要素（Ａ）に加えられることが必ずしも必要でないことはいうまでもない。むしろ、架橋剤の形成を起こさせるあらゆる他の分子が構成要素（Ａ）に加えられ得る。そのような分子の好ましい例は、水である。水分子は、ポリアミンを形成しながら構成要素（Ａ）の一部と反応することがあり、このポリアミンが、今度はポリマー材料を形成しながら構成要素（Ａ）の残りの部分と反応する。
【００３２】
本発明の好ましい実施形態によれば、構成要素（Ａ）は、いかなる芳香族ポリイソシアネートも含まない。
本記載の枠内で、芳香族ポリイソシアネートとは、２個以上のイソシアネート残基が芳香族Ｃ−原子と直接結合している化合物、およびそれらの誘導体であって、誘導体の各々が２個以上のイソシアネート基を含み、ビウレット、イソシアヌレート、ウレトジオン、イミノオキサジアジンジオンおよびトリメチロールプロパン付加体からなる群から選ばれた１種類以上の基をさらに含む誘導体である。芳香族ポリイソシアネートの前記誘導体は、前記芳香族ポリイソシアネートと多価アルコール（例えばグリセリン）、ポリアミン、ポリチオール（例えばジメルカプロール）、および／またはそれらの混合物との反応によっても得られ得る。
【００３３】
言い換えると、好ましくは、構成要素（Ａ）は、上記で定義される直鎖および／または分岐ならびに環状脂肪族ポリイソシアネートを包含するだけである。
【００３４】
より好ましくは、本発明による構成要素（Ａ）の直鎖および／または分岐ならびに環状脂肪族ポリイソシアネートは、いかなる芳香族構造もまったく含まない。
【００３５】
本発明の別の好ましい実施形態によれば、直鎖または分岐脂肪族ポリイソシアネートは、ペンタメチレンジイソシアネート（ＰＤＩ、例えば三井化学（Ｍｉｔｕｉ  Ｃｈｅｍｉｃａｌｓ  Ｉｎｃ．）、日本によるスタビオ（Ｓｔａｂｉｏ）Ｄ−３７０ＮまたはＤ−３７６Ｎ）、ヘキサメチレンジイソシアネート（ＨＤＩ）、エチルエステルリジントリイソシアネート、リジンジイソシアネートエチルエステルおよびそれらの誘導体からなる群から選ばれ、好ましくは、誘導体の各々は、２個以上のイソシアネート基を含み、ビウレット、イソシアヌレート、ウレトジオン、イミノオキサジアジンジオンおよびトリメチロールプロパン付加体からなる群から選ばれた１種類以上の基を任意選択としてさらに含み、および／または、環状脂肪族ポリイソシアネートは、イソホロンジイソシアネート（ＩＰＤＩ）、１，３−ビス（イソシアナトメチル）シクロヘキサン（Ｈ６ＸＤＩ、例えば三井化学株式会社、日本によるタケネート（Ｔａｋｅｎａｔｅ）６００）、１，２−ビス（イソシアナトメチル）シクロヘキサン、１，４−ビス（イソシアナトメチル）シクロヘキサン、メチレンビス（シクロヘキシルイソシアネート）（Ｈ１２ＭＤＩ）およびそれらの誘導体からなる群から選ばれ、好ましくは、誘導体の各々は、２個以上のイソシアネート基を含み、ビウレット、イソシアヌレート、ウレトジオン、イミノオキサジアジンジオンおよびトリメチロールプロパン付加体（例えばＨ６ＸＤＩのＴＭＰ付加体、特に三井化学株式会社、日本によるタケネートＤ−１２０Ｎ）からなる群から選ばれた１つ以上の基を任意選択としてさらに含む。
【００３６】
リニューアブルな資源から得られる脂肪族ポリイソシアネート、例えばＰＤＩ（三井化学株式会社、日本によるスタビオＤ−３７０ＮまたはＤ−３７６Ｎ）が特に好ましい。リニューアブルな資源から得られるそのような脂肪族ポリイソシアネートはコア−シェルカプセルの品質／特性を低下させないことが見いだされた。
好ましくは、直鎖、分岐および／または環状脂肪族ポリイソシアネートの誘導体が使用される。本明細書において用いられる誘導体とは、その最も広い意味において、化合物から化学反応によって導かれる化合物と理解される。誘導体の例は、上述の直鎖または分岐脂肪族ポリイソシアネートのオリゴマーおよび／または付加体を含む。好ましいオリゴマーは、ビウレット、イソシアヌレート、ウレトジオン、イミノオキサジアジンジオンであり、好ましい付加体は、トリメチロールプロパン付加体である。これらのオリゴマー／付加体は、当分野において周知であり、例えば米国特許第４８５５４９０（Ａ）号または米国特許第４１４４２６８（Ａ）中に開示されている。好ましくは、脂肪族ポリイソシアネートは、モノマー形および／または二量化形（イソシアネートとして）であるいはオリゴマー形で存在する。
【００３７】
直鎖、分岐または環状ポリイソシアネートの前記誘導体は、前記ポリイソシアネートと多価アルコール（例えばグリセリン）、ポリアミン、ポリチオール（例えばジメルカプロール）、および／またはそれらの混合物との反応によっても得られ得る。
【００３８】
上述の化合物は、存在する場合、異なる異性体を単独でまたは組合せて明示的に包含する。例えば、メチレンビス（シクロヘキシルイソシアネート）（Ｈ１２ＭＤＩ）は、４，４’−メチレンビス（シクロヘキシルイソシアネート）、２，４’−メチレンビス（シクロヘキシルイソシアネート）および／または２，２’−メチレンビス（シクロヘキシルイソシアネート）を包含する。
【００３９】
本発明の実施形態によれば、架橋剤は、２個以上のアミノ基を有するポリアミンまたはそれらの塩、好ましくは、ジアミンまたはグアニジンであり、好ましくは、架橋剤は、炭酸グアニジン、塩酸グアニジン、トリス（２−アミノエチル）アミン、エチレンジアミン、ブチレンジアミン、プロパンジアミン、ペンタン−１，５−ジアミン、フェニレンジアミン、および直鎖または分岐ポリエチレンイミン、好ましくはジエチレントリアミンからなる群から選ばれる。
【００４０】
好ましいアミンは、２００ｇ／ｍｏｌ未満の分子量を有する。例示的なアミンは、ヒドラジン、エチレンジアミン、ジエチレントリアミン、トリエチレンテトラミン、テトラエチレンペンタミン、アミノエチルピペラジン、プロピレンジアミン、Ｎ−メチルジプロピレントリアミン、ビス（３−アミノプロピル）アミン、ヘキサメチレンジアミン、ならびに２，５−ジアミノ−２，５−ジメチルヘキサンである。
【００４１】
グアニジン化合物は、好ましくは、水溶液の形で用いられる。有用なグアニジン化合物の水溶液は、例えば、１〜２０重量％のグアニジン化合物（水溶液の総重量に対して）を含む。
【００４２】
架橋剤の総量中のグアニジン化合物、特に炭酸グアニジンの割合は、好ましくは、５０モル％以上である。
【００４３】
代替実施形態によれば、官能基架橋剤は、例えばアルカノールアミン、アミノチオールまたはチオアルコール、例えばジメルカプロールにおいて異なり得る。種々の架橋剤のあらゆる組合せが使用され得る。
【００４４】
架橋剤は、構成要素（Ａ）に加えられる（単離された）化合物の形で存在し得る。あるいは、前記架橋剤は、２個以上のイソシアネート基を有する少なくとも１種類の直鎖脂肪族ポリイソシアネート、２個以上のイソシアネート基を有する少なくとも１種類の分岐脂肪族ポリイソシアネート、および／または２個以上のイソシアネート基を有する少なくとも１種類の環状脂肪族ポリイソシアネートとあらゆる他の化合物との反応によって得られ、すなわち、架橋剤は、インサイチュ形成される場合。そのような他の化合物の例が水である。ポリイソシアネートへの水の付加は、対応するカルバミド酸の形成と、それに続くカルバミド酸からアミンおよび二酸化炭素への分解とを起こさせ得る。
【００４５】
本発明の別の実施形態によれば、カプセルは、マイクロカプセルであり、好ましくは、２〜５００μｍ、より好ましくは１０〜５０μｍの直径（ここで本明細書において引用されるマイクロカプセルの直径は、下記で定義されるＤ50値である）を有するマイクロカプセルである。
【００４６】
マイクロカプセルは、２〜５００μｍ、例えば３〜４５０μｍ、４〜４００μｍ、５〜３５０μｍ、６〜３００μｍ、７〜２５０μｍ、８〜２００μｍ、９〜１５０μｍ、１０〜１００μｍ、１０〜９０μｍ、１０〜８０μｍ、１０〜７０μｍ、および１０〜６０μｍの直径を有し得る。より好ましくは、マイクロカプセルの直径は、１０〜５０μｍ、例えば２０〜４０μｍまたは２５〜３５μｍである。
【００４７】
マイクロカプセルの直径は、好ましくは、マルバーン（Ｍａｌｖｅｒｎ）マスターサイザー（Ｍａｓｔｅｒｓｉｚｅｒ）２０００を用いるレーザー回折によって決定される（製造指示による）。得られた散乱光の強度値は、数学モデル、例えばかつ好ましくは、フラウンホーファー回折／近似を用いて計算してＤ50値とする。Ｄ50値は、マイクロカプセルのうち５０体積％がＤ50値より細かく、５０体積％がＤ50値より粗い粒径である。
【００４８】
マイクロカプセルは、基本的に形状が球形である。基本的に球形とは、各空間方向の偏差が１０％以下、例えば５％、４％、３％または１％以下であるという意味を有する。より好ましくは、マイクロカプセルは、形状が球形である。
【００４９】
本発明のさらに別の実施形態によれば、反応は、構成要素（Ａ）を含むかまたはからなる第１の相を構成要素（Ｂ）を含むかまたはからなる第２の相と接触させることを含み、好ましくは、（ｉ）構成要素（Ａ）のポリイソシアネートは、水不溶性であり、および／または（ｉｉ）構成要素（Ｂ）の架橋剤は、水溶性である、界面反応である。
【００５０】
第１の相および／または第２の相は、それぞれ、少なくとも１種類の溶媒を含み得る。構成要素（Ａ）が基本的に第１の相に溶解し、構成要素（Ｂ）が基本的に第２の相に溶解していると好ましい。基本的に溶解しているとは、構成要素（Ａ）および構成要素（Ｂ）の少なくとも９０重量％、好ましくは少なくとも９８重量％または９９．９重量％がそれぞれ溶解しているという意味を有する。より好ましくは、構成要素（Ａ）および構成要素（Ｂ）は、それぞれの溶媒中に完全に溶解している。
【００５１】
構成要素（Ａ）のための適当な溶媒は、ｎ−プロパノールより低い極性を有する有機溶媒、例えばジメチルスルホキシドである。構成要素（Ｂ）のための適当な溶媒は、ｎ−プロパノール以上の極性を有する溶媒、例えば水またはエタノール／水の混合物である。構成要素（Ａ）のための好ましい溶媒は、水と相溶性でなく、イソシアネート構成要素と反応せず、ジイソプロピルナフタレンなどのアルキル芳香族炭化水素または置換ビフェニル、パラフィン、天然油（例えばヒマワリ油）および低融点油脂（ヤシ油など）である。マイクロカプセルの製造時にカプセル化されるべき材料およびポリイソシアネートとともに油相の一部を形成する有機水非相溶性かつ不活性な溶媒の例は、芳香族、脂肪族、およびナフテン系炭化水素、カルボン酸エステル、塩素化パラフィン、動植物起源の油、１０℃〜３５℃の範囲の融点を有する天然油脂、液体油脂誘導体、ワックスならびに１００℃以上の沸点を有する芳香族および脂肪族のエーテルを含む。複数の溶媒の混合物も用いることができる。
【００５２】
単一の溶媒、好ましくは構成要素（Ａ）のための溶媒も使用され得ることが直ちに理解されるだろう。溶媒への別の化合物、例えば水の添加は、上記に示される１種類以上の架橋剤への構成要素（Ａ）の化合物の少なくとも部分的な変換を起こさせ得る。この反応の過程において、他の化合物は、好ましくは、構成要素（Ａ）の化合物と完全に反応する。この反応の潜在的な副生物、例えば二酸化炭素は、溶媒から完全に除去され得る。
【００５３】
よって、構成要素（Ａ）を構成要素（Ｂ）と反応させることによってポリマー材料が製造されるかまたは製造可能であり、構成要素（Ａ）のポリイソシアネートと、存在する場合、水との反応によって構成要素（Ｂ）のポリアミンが得られ、すなわち、第１の相が構成要素（Ａ）と（Ｂ）との両方を含み、第２の相がなんらかの（追加の、同じまたは異なる）構成要素（Ｂ）を含むこともまったく含まないこともある、本コア−シェルカプセルが提供され得る。
【００５４】
匂い物質の化粧品用途またはカプセル化を目的としては、香料業界において広く用いられている溶媒（イソシアネートと反応するアルコールは除く）が特に優先される。この目的にとって好ましい溶媒の例は、フタレート（ジエチルフタレートなど）、イソプロピルミリスチテート、ベンジルベンゾエート、エチルシトレート、リモネンまたは他のテルペンおよびイソパラフィンを含む。
【００５５】
本発明の実施形態によれば、第１の相は、界面反応の前に第２の相の中に分散され、第１の相は、１種類以上のさらに別のコア成分をさらに含み、好ましくは、さらに別の成分は、構成要素（Ａ）に対して不活性である。
【００５６】
第２の相の中の第１の相の分散物は、２つの相を混合することによって、好ましくは例えば従来のＫＰＧ撹拌機によって混合することによって得られ得る。構成要素（Ｂ）と異なるが化合物（Ａ）と反応する化合物および／または構成要素（Ａ）に対して不活性である化合物を含む１種類以上のさらに別のコア成分が存在し得る。
【００５７】
構成要素（Ｂ）と異なるが化合物（Ａ）と反応する化合物の例は、モノアルコール、例えばｎ−プロパノール、モノアミンおよび／またはモノチオールを包含する。前記化合物は、所望の重合度を調節するという点での構成要素（Ａ）および（Ｂ）の反応を加減するために使用され得る。
【００５８】
本発明によるマイクロカプセルは、乳化剤、安定剤、および／または凝集防止剤を含有する水相を用いて製造され得る。乳化剤は、油相中にも存在し得る。そのような添加剤の量は、例えば、それぞれの相を基準として０．５〜１０重量％の範囲内であってよい。
【００５９】
本発明の別の実施形態によれば、第２の相は、第１の相の凝集を防ぐ１種類以上のコロイド安定剤をさらに含み、好ましくは、安定剤は、セルロース誘導体、好ましくはカルボキシメチルセルロースまたはその塩、低分子界面活性剤、ポリエチレンオキシド、およびポリビニルアルコール、ポリカチオン、好ましくはカチオン性ポリビニルアルコール、およびポリアニオン、好ましくはポリスチレンスルホネート、ポリアクリルアミドスルホネートおよびそれらの誘導体からなる群から選択される。
【００６０】
ポリビニルアルコールは、本コア−シェルカプセルの調製、貯蔵および使用時に保護コロイドとして助力するので有利である。
【００６１】
特に好ましい安定剤は、その側鎖上に第４アンモニウム塩を有するポリビニルアルコール、例えばＧＯＨＳＥＮＸ  Ｋ−４３４、日本合成化学工業株式会社、日本である。その側鎖上に第４アンモニウム塩を有するそのようなポリビニルアルコール、特にＧＯＨＳＥＮＸ  Ｋ−４３４（日本合成化学株式会社、日本）は、好ましくは、衣類用柔軟剤中に用いられる本発明によるコア−シェルカプセル用に使用され、さらに改善された感覚特性、例えば匂いを生じさせる本発明によるコア−シェルカプセルの感覚特性の改善に助力する。
【００６２】
本発明のさらに別の実施形態によれば、構成要素（Ｂ）は、構成要素（Ａ）中に存在するイソシアネート基の１モルあたり０，５〜４モル、好ましくは０，８〜２モルのアミノ基を含む。
【００６３】
本発明の実施形態によれば、コアは、匂い物質、アロマ分子、冷却剤、ＴＲＰＶ１／ＴＲＰＶ３モジュレータ、染料、染料前駆体、相変化材料、化学反応用触媒、接着剤、接着剤用途のための反応性物質、医薬品活性物質、紫外線フィルター、化粧品活性物質、植物保護活性物質、駆虫剤（例えばＮ，Ｎ−ジエチル−ｍ−トルアミド（ＤＥＥＴ）、１，２−ペンタンジオールまたはエチルブチルアセチルアミノプロピオネート）、撥水剤、難燃剤、農薬、潤滑剤および溶媒からなる群から選ばれた１種類以上のさらなる成分を含む。
【００６４】
想定可能なさらなる成分は、一般に、マイクロカプセル化の分野からの用途が存在するすべての化合物を含む。そのような成分は、当分野において周知である。例は、例えば、カーボンレス複写紙の製造のための染料カラーまたは染料前駆体と医薬品用途のための薬とを含む。化粧品用途のための活性物質が好ましい。特に、消費者商品における用途および／または消費者商品の着香のための匂い物質または匂い物質組成物である活性物質も好ましい。個々の匂い物質または匂い物質の混合物（香料組成物、匂い物質組成物）のどちらも選択することができる。匂い物質は、合成起源および天然起源の両方の化合物であってよい。
【００６５】
本発明によるコア−シェルカプセルであって、コアが、例えば、竜涎香チンキ；アミリス油；アンジェリカ種子油；アンジェリカ根油；アニス油；吉草油；バジル油；ツリーモスアブソルート；ベイ油；アルモアズ油；ベンゾイン樹脂；ベルガモット油；蜜蝋アブソルート；バーチタール油；苦扁桃油；セイバリー油；ブッコ葉油；カブリューバ油；カデ油；菖蒲油；樟脳油；カナンガ油；カルダモン油；カスカリラ油；カッシア油；アカシアアブソルート；ビーバー香アブソルート；セダー葉油；セダーウッド油；システ油；シトロネラ油；レモン油；コパイババルサム；コパイババルサム油；コリアンダー油；コスタス根油；クメン油；サイプレス油；ダバナ油；イノンド葉油；イノンド種子油；オーデブルーアブソルート；オークモスアブソルート；エレミ油；タラゴン油；ユーカリレモン油；ユーカリ油；ウイキョウ油；ファーニードル油；ガルバヌム油；ガルバヌム樹脂；ゼラニウム油；グレープフルーツ油；グアヤクウッド油；グルユンバルサム；グルユンバルサム油；ムギワラギクアブソルート；ムギワラギク油；ジンジャー油；アイリス根アブソルート；アイリス根油；ジャスミンアブソルート；菖蒲油；ブルーカモミール油；ローマカモミール油；ニンジン種子油；カスカリラ油；松葉油；スペアミント油；カラウェー油；ラダナム油；ラダナムアブソルート；ラダナム樹脂；ラバンディンアブソルート；ラバンディン油；ラベンダーアブソルート；ラベンダー油；レモングラス油；ラビッジ油；蒸留ライム油；圧搾ライム油；リナロエ油；リツエクベバ油；月桂樹葉油；メース油；マヨラナ油；マンダリン油；マソイ樹皮油；ミモザアブソルート；アンブレット種子油；ムスクチンキ；サッサフラス油；ニクズク油；ミルラアブソルート；ミルラ油；ミルテ油；丁子葉油；丁子芽油；ネロリ油；オリバナムアブソルート；オリバナム油；オポパナックス油；オレンジ花アブソルート；オレンジ油；オリガヌム油；パルマローザ油；パッチュリ油；エノ油；Ｐｅｗバルサム油；パセリ葉油；パセリ種子油；プチグレン油；ハッカ油；胡椒油；ピメント油；松根油；ペニローヤル油；バラアブソルート；ローズウッド油；バラ油；ローズマリー油；ダルマシアセージ油；スペインセージ油；ビャクダン油；セロリ種子油：スパイクラベンダー油；ダイウイキョウ油；エゴノキ油；マンジュギク油；ファーニードル油；チャノキ油；テレビン油；タイム油；トルーバルサム；トンコ豆アブソルート；ゲッカコウアブソルート；バニラ抽出物；スミレ葉アブソルート；バーベナ油；ベチバー油；ジュニパーベリー油；ワインリース油；ニガヨモギ油；ウィンターグリーン油；イランイラン油；ヒソップ油；シベットアブソルート；シナモン葉油；シナモン樹皮油
などのエッセンシャルオイル、凝固物、アブソルート、樹脂、レジノイド、バルサム、チンキのような天然原料の抽出物、ならびにそれらの画分、またはそれらから単離された成分；例えば、３−カレン；α−ピネン；β−ピネン；α−テルピネン；γ−テルピネン；ｐ−シメン；ビサボレン；カンフェン；カリオフィレン；セドレン；ファルネセン；リモネン；ロンギホレン；ミルセン；オシメン；バレンセン；（Ｅ，Ｚ）−１，３，５−ウンデカトリエン；スチレン；ジフェニルメタンのような炭化水素；例えば、ヘキサナール；ヘプタナール；オクタナール；ノナナール；デカナール；ウンデカナール；ドデカナール；トリデカナール；２−メチルオクタナール；２−メチルノナナール；（Ｅ）−２−ヘキセナール；（Ｚ）−４−ヘプテナール；２，６−ジメチル−５−ヘプテナール；１０−ウンデセナール；（Ｅ）−４−デセナール；２−ドデセナール；２，６，１０−トリメチル−９−ウンデセナール；２，６，１０−トリメチル−５，９−ウンデカジエン；ヘプタナールジエチルアセタール；１，１−ジメトキシ−２，２，５−トリメチル−４−ヘキセン；シトロネリルオキシアセトアルデヒド；１−（１−メトキシプロポキシ）−（Ｅ／Ｚ）−３−ヘキセンのような脂肪族アルデヒドおよびそれらのアセタール；例えば、２−ヘプタノン；２−オクタノン；３−オクタノン；２−ノナノン；５−メチル−３−ヘプタノン；５−メチル−３−ヘプタノンオキシム；２，４，４，７−テトラメチル−６−オクテン−３−オン；６−メチル−５−ヘプテン−２−オンのような脂肪族ケトンおよびそれらのオキシム；
例えば３−メチルチオヘキサノール；３−メチルチオヘキシルアセテート；３−メルカプトヘキサノール；３−メルカプトヘキシルアセテート；３−メルカプトヘキシルブチレート；３−アセチルチオヘキシルアセテート；１−メンテン−８−チオールのような脂肪族硫黄含有化合物；例えば、２−ノネン酸ニトリル；２−ウンデセン酸ニトリル；２−トリデセン酸ニトリル；３，１２−トリデカジエン酸ニトリル；３，７−ジメチル−２，６−オクタジエン酸ニトリル；３，７−ジメチル−６−オクテン酸ニトリルのような脂肪族ニトリル；例えば、（Ｅ）−および（Ｚ）−３−ヘキセニルホルメート；エチルアセトアセテート；イソアミルアセテート；ヘキシルアセテート；３，５，５−トリメチルヘキシルアセテート；３−メチル−２−ブテニルアセテート；（Ｅ）−２−ヘキセニルアセテート；（Ｅ）−および（Ｚ）−３−ヘキセニルアセテート；オクチルアセテート；３−オクチルアセテート；１−オクテン−３−イルアセテート；エチルブチレート；ブチルブチレート；イソアミルブチレート；ヘキシルブチレート；（Ｅ）−および（Ｚ）−３−ヘキセニルイソブチレート；ヘキシルクロトネート；エチルイソバレレート；エチル−２−メチルペンタノエート；エチルヘキサノエート；アリルヘキサノエート；エチルヘプタノエート；アリルヘプタノエート；エチルオクタノエート；エチル−（Ｅ，Ｚ）−２，４−デカジエノエート、特にエチル−２−ｔｒａｎｓ−４−ｃｉｓ−デカジエノエート；メチル−２−オクチネート；メチル−２−ノニネート；アリル−２−イソアミルオキシアセテート；メチル−３，７−ジメチル−２，６−オクタジエノエート；４−メチル−２−ペンチルクロトネートのような脂肪族カルボン酸のエステル；例えば、シトロネロール；ゲラニオール；ネロール；リナロール；ラバンジュロール；ネロリドール；ファルネソール；テトラヒドロリナロオール；テトラヒドロゲラニオール；２，６−ジメチル−７−オクテン−２−オール；２，６−ジメチルオクタン−２−オール；２−メチル−６−メチレン−７−オクテン−２−オール；２，６−ジメチル−５，７−オクタジエン−２−オール；２，６−ジメチル−３，５−オクタジエン−２−オール；３，７−ジメチル−４，６−オクタジエン−３−オール；３，７−ジメチル−１，５，７−オクタトリエン−３−オール；２，６−ジメチル−２，５，７−オクタトリエン−１−オールのような非環式テルペンアルコールのホルメート、アセテート、プロピオネート、イソブチレート、ブチレート、イソバレレート、ペンタノエート、ヘキサノエート、クロトネート、チグリネートまたは３−メチル−２−ブテノエート；例えば、ゲラニアール；ネラール；シトロネラール；７−ヒドロキシ−３，７−ジメチルオクタナール；７−メトキシ−３，７−ジメチルオクタナール；２，６，１０−トリメチル−９−ウンデセナール；ゲラニルアセトンのような非環式テルペンアルデヒドおよびケトンならびにそれらのジメチルおよびジエチルアセタール；特にゲラニアール、ネラール、７−ヒドロキシ−３，７−ジメチルオクタナールのジメチルおよびジエチルアセタール；例えば、メントール；イソプレゴール；α−テルピネオール；テルピネノ���ル−４；メンタン−８−０１；メンタン−１−オール；メンタン−７−オール；ボルネオール；イソボルネオール；リナロールオキシド；ノポール；セドロール；アンブリノール；ベチベロール；グアイオールのような環状テルペンアルコールのホルメート、アセテート、プロピオネート、イソブチレート、ブチレート、イソバレレート、ペンタノエート、ヘキサノエート、クロトネート、チグリネートおよび３−メチル−２−ブテノエート；例えば、メントン；イソメントン；８−メルカプトメンタン−３−オン；カルボン；カンファ―；フェンコン；α−イオノン；β−イオノン；α−ｎ−メチルイオノン；β−ｎ−メチルイオノン；α−イソメチルイオノン；β−イソメチルイオノン；α−イロン；α−ダマスコン；β−ダマスコン；β−ダマセノン；δ−ダマスコン；γ−ダマスコン；１−（２，４，４−トリメチル−２−シクロヘキセン−１−イル）−２−ブテン−１−オン；１，３，４，６，７，８ａ−ヘキサヒドロ−１，１，５，５−テトラメチル−２Ｈ−２，４ａ−メタノナフタレン−８（５Ｈ）−オン；２−メチル−４−（２，６，６−トリメチル−１−シクロヘキセン−１−イル）−２−ブテナール；ノートカトン；ジヒドロノートカトン；４，６，８−メガスチグマトリエン−３−オン、α−シネンサール；β−シネンサール；アセチル化セダー油（メチルセドリルケトン）のような環状テルペンアルデヒドおよびケトン；
例えば、シネオール；セドリルメチルエーテル；シクロドデシルメチルエーテル；１，１−ジメトキシシクロドデカン；（エトキシメトキシ）シクロドデカン；α−セドレンエポキシド；３ａ，６，６，９ａ−テトラメチル−ドデカヒドロナフト［２，１−ｂ］フラン；３ａ−エチル−６，６，９ａ−トリメチルドデカヒドロナフト［２，１−ｂ］フラン；１，５，９−トリメチル−１３−オキサビシクロ［１０．１．０］トリデカ−４，８−ジエン；ローズオキシド；２−（２，４−ジメチル−３−シクロヘキセン−１−イル）−５−メチル−５−（１−メチルプロピル）−１，３−ジオキサンのような環状および脂環式エーテル；例えば、４−ｔｅｒｔ．−ブチルシクロヘキサノン；２，２，５−トリメチル−５−ペンチルシクロペンタノン；２−ヘプチルシクロペンタノン；２−ペンチルシクロペンタノン；２−ヒドロキシ−３−メチル−２−シクロペンテン−１−オン；３−メチル−ｃｉｓ−2−ペンテン−１−イル−２−シクロペンテン−１−オン；３−メチル−２−ペンチル−２−シクロペンテン−１−オン；３−メチル−４−シクロペンタデセノン；３−メチル−５−シクロペンタデセノン；３−メチルシクロペンタデカノン；４−（１−エトキシビニル）−３，３，５，５−テトラメチルシクロヘキサノン；４−ｔｅｒｔ．−ペンチルシクロヘキサノン；５−シクロヘキサデセン−１−オン；６，７−ジヒドロ−１，１，２，３，３−ペンタメチル−４（５Ｈ）−インダノン；８−シクロヘキサデセン−１−オン；７−シクロヘキサデセン−１−オン；（７／８）−シクロヘキサデセン−１−オン；９−シクロヘプタデセン−１−オン；シクロペンタデカノン；シクロヘキサデカノンのような環状および大環状ケトン；例えば、２，４−ジメチル−３−シクロヘキセンカルボアルデヒド；２−メチル−４−（２，２，６−トリメチルシクロヘキセン−１−イル）−２−ブテナール；４−（４−ヒドロキシ−４−メチルペンチル）−３−シクロヘキセンカルボアルデヒド；４−（４−メチル−３−ペンテン−１−イル）−３−シクロヘキセンカルボアルデヒドのような脂環式アルデヒド；例えば、１−（３，３−ジメチルシクロヘキシル）−４−ペンテン−１−オン；２，２−ジメチル−１−（２，４−ジメチル−３−シクロヘキセン−１−イル）−１−プロパノン；１−（５，５−ジメチル−１−シクロヘキセン−１−イル）−４−ペンテン−１−オン；２，３，８，８−テトラメチル−１，２，３，４，５，６，７，８−オクタヒドロ−２−ナフタレニルメチルケトン；メチル−２，６，１０−トリメチル−２，５，９−シクロドデカトリエニルケトン；ｔｅｒｔ．−ブチル−（２，４−ジメチル−３−シクロヘキセン−１−イル）ケトンのような脂環式ケトン；例えば、２−ｔｅｒｔ．−ブチルシクロヘキシルアセテート；４−ｔｅｒｔ．−ブチルシクロヘキシルアセテート；２−ｔｅｒｔ．−ペンチルシクロヘキシルアセテート；４−ｔｅｒｔ．−ペンチルシクロヘキシルアセテート；３，３，５−トリメチルシクロヘキシルアセテート；デカヒドロ−２−ナフチルアセテート；２−シクロペンチルシクロペンチルクロトネート；３−ペンチルテトラヒドロ−２Ｈ−ピラン−４−イルアセテート；デカヒドロ−２，５，５，８ａ−テトラメチル−２−ナフチルアセテート；４，７−メタノ−３ａ，４，５，６，７，７ａ−ヘキサヒドロ−５−または６−インデニルアセテート；４，７−メタノ−３ａ，４，５，６，７，７ａ−ヘキサヒドロ−５−または−６−インデニルプロピオネート；４，７−メタノ−３ａ，４，５，６，７，７ａ−ヘキサヒドロ−５−または６−インデニルイソブチレート；４，７−メタノオクタヒドロ−５−または６−インデニルアセテートのような環状アルコールのエステル；例えば、１−シクロヘキシルエチルクロトネートのような脂環式アルコールのエステル；例えば、アリル−３−シクロヘキシルプロピオネート；アリルシクロヘキシルオキシアセテート；ｃｉｓ−およびｔｒａｎｓ−メチルジヒドロジャスモネート；ｃｉｓ−およびｔｒａｎｓ−メチルジャスモネート；メチル−２−ヘキシル−３−オキソシクロペンタンカルボキシレート；エチル−２−エチル−６，６−ジメチル−２−シクロヘキセンカルボキシレート；エチル−２，３，６，６−テトラメチル−２−シクロヘキセンカルボキシレート；エチル−２−メチル−１，３−ジオキソラン−２−アセテートのような脂環式カルボン酸のエステル；
例えば、ベンジルアセテート；ベンジルプロピオネート；ベンジルイソブチレート；ベンジルイソバレレート；２−フェニルエチルアセテート；２−フェニルエチルプロピオネート；２−フェニルエチルイソブチレート；２−フェニルエチルイソバレレート；１−フェニルエチルアセテート；α−トリクロロメチルベンジルアセテート；α，α−ジメチルフェニルエチルアセテート；α，α−ジメチルフェニルエチルブチレート；シンナミルアセテート；２−フェノキシエチルイソブチレート；４−メトキシベンジルアセテートのような芳香脂肪族（ａｒａｌｉｐｈａｔｉｃ）アルコールと脂肪族カルボン酸とのエステル；例えば、２−フェニルエチルメチルエーテル；２−フェニルエチルイソアミルエーテル：２−フェニルエチル−１−エトキシエチルエーテル；フェニルアセトアルデヒドジメチルアセタール；フェニルアセトアルデヒドジエチルアセタール；ヒドラトロプアルデヒドジメチルアセタール；フェニルアセトアルデヒドグリセロールアセタール；２，４，６−トリメチル−４−フェニル−１，３−ジオキサン；４，４ａ，５，９ｂ−テトラヒドロインデノ［１，２−ｄ］−ｍ−ダイオキシン；４，４ａ，５，９ｂ−テトラヒドロ−２，４−ジメチルインデノ［１，２−ｄ］−ｍ−ダイオキシンのような芳香脂肪族エーテル；例えば、ベンズアルデヒド；フェニルアセトアルデヒド；３−フェニルプロパナール；ヒドラトロプアルデヒド；４−メチルベンズアルデヒド；４−メチルフェニルアセトアルデヒド；３−（４−エチルフェニル）−２，２−ジメチルプロパナール；２−メチル−３−（４−イソプロピルフェニル）プロパナール；２−メチル−３−（４−ｔｅｒｔ．−ブチルフェニル）プロパナール；２−メチル−３−（４−イソブツリフェニル）プロパナール；３−（４−ｔｅｒｔ．−ブチルフェニル）プロパナール；シンナムアルデヒド；α−ブチルシンナムアルデヒド；α−アミルシンナムアルデヒド：α−ヘキシルシンナムアルデヒド；３−メチル−５−フェニルペンタナール；４−メトキシベンズアルデヒド；４−ヒドロキシ−３−メトキシベンズアルデヒド；４−ヒドロキシ−３−エトキシベンズアルデヒド；３，４−メチレンジオキシベンズアルデヒド；３，４−ジメトキシベンズアルデヒド；２−メチル−３−（４−メトキシフェニル）プロパナール；２−メチル−３−（４−メチレンジオキシフェニル）プロパナールのような芳香族および芳香脂肪族アルデヒド；例えば、アセトフェノン；４−メチルアセトフェノン；４−メトキシアセトフェノン；４−ｔｅｒｔ．−ブチル−２，６−ジメチルアセトフェノン；４−フェニル−２−ブタノン；４−（４−ヒドロキシフェニル）−２−ブタノン；１−（２−ナフタレニル）エタノン；２−ベンゾフラニルエタノン；（３−メチル−２−ベンゾフラニル）エタノン；ベンゾフェノン；１，１，２，３，３，６−ヘキサメチル−５−インダニルメチルケトン；６−ｔｅｒｔ．−ブチル−１，１−ジメチル−４−インダニルメチルケトン；１−［２，３−ジヒドロ−１，１，２，６−テトラメチル−３−（１−メチルエチル）−１Ｈ−５−インデニル］エタノン；５′，６′，７′，８′−テトラヒドロ−３，５，５，６，８，８−ヘキサメチル−２−��セトナフトンのような芳香族および芳香脂肪族ケトン；例えば、安息香酸；フェニル酢酸；メチルベンゾエート；エチルベンゾエート；ヘキシルベンゾエート；ベンジルベンゾエート；メチルフェニルアセテート；エチルフェニルアセテート；ゲラニルフェニルアセテート；フェニルエチルフェニルアセテート；メチルシンナメート；エチルシンナメート；ベンジルシンナメート；フェニルエチルシンナメート；シンナミルシンナメート；アリルフェノキシアセテート；メチルサリチレート；イソアミルサリチレート；ヘキシルサリチレート；シクロヘキシルサリチレート；シス−３−ヘキセニルサリチレート；ベンジルサリチレート；フェニルエチルサリチレート；メチル−２，４−ジヒドロキシ−３，６−ジメチルベンゾエート；エチル−３−フェニルグリシデート；エチル−３−メチル−３−フェニルグリシデートのような芳香族および芳香脂肪族カルボン酸ならびにそれらのエステル；
例えば、２，４，６−トリニトロ−１，３−ジメチル−５−ｔｅｒｔ．−ブチルベンゼン；３，５−ジニトロ−２，６−ジメチル−４−ｔｅｒｔ．−ブチルアセトフェノン；シンナモニトリル；３−メチル−５−フェニル−２−ペンテン酸ニトリル；３−メチル−５−フェニルペンタン酸ニトリル；メチルアントラニレート；メチル−Ｎ−メチルアントラニレート；メチルアントラニレートと７−ヒドロキシ−３，７−ジメチルオクタナールとのシッフ塩基、２−メチル−３−（４−ｔｅｒｔ.−リン；６−イソブチルキノリン；６−ｓｅｃ．−ブチルキノリン；２−（３−フェニルプロピル）ピリジン；インドール；スカトール；２−メトキシ−３−イソプロピルピラジン；２−イソブチル−３−メトキシピラジンのような窒素含有芳香族化合物；例えば、エストラゴール；アネトール；オイゲニルメチルエーテル；イソオイゲニルメチルエーテル；ジフェニルエーテル；β−ナフチルメチルエーテル；β−ナフチルエチルエーテル；β−ナフチルイソブチルエーテル；１，４−ジメトキシベンゼン；オイゲニルアセテート；ｐ−クレシルフェニルアセテートのようなフェニルエーテルおよびフェニルエステル；例えば、２，５−ジメチル−４−ヒドロキシ−２Ｈ−フラン−３−オン；２−エチル−４−ヒドロキシ−５−メチル−２Ｈ−フラン−３−オン；３−ヒドロキシ−２−メチル−４Ｈ−ピラン−４−オン；２−エチル−３−ヒドロキシ−４Ｈ−ピラン−４−オンのような複素環化合物；および例えば、１，４−オクタノリド；３−メチル−１，４−オクタノリド；１，４−ノナノリド；１，４−デカノリド；８−デセン−１，４−オリド；１，４−ウンデカノリド；１，４−ドデカノリド；１，８−デカノリド；１，５−ドデカノリド；４−メチル−１，４−デカノリド；１，１５−ペンタデカノリド；ｃｉｓ−およびｔｒａｎｓ−１１−ペンタデセン−１，１５−オリド；ｃｉｓ−およびｔｒａｎｓ−１２−ペンタデセン−１，１５−オリド；１，１６−ヘキサデカノリド；９−ヘキサデセン−１，１６−オリド；１０−オキサ−１，１６−ヘキサデカノリド；１１−オキサ−１，１６−ヘキサデカノリド；１２−オキサ−１，１６−ヘキサデカノリド；エチレン−１，１２−ドデカンジオエート；エチレン−１，１３−トリデカンジオエート；クマリン；２，３−ジヒドロクマリン；オクタヒドロクマリンのようなラクトンの群由来の個々の匂い物質からなる群から選ばれた１種類以上の匂い物質／芳香物質を活性剤として含有するコア−シェルカプセルが好ましい。文献から、例えば本「香料およびフレーバー化学品（Ｐｅｒｆｕｍｅ  ａｎｄ  Ｆｌａｖｏｒ  Ｃｈｅｍｉｃａｌｓ）」、Ｓ．アークタンダー（Ａｒｃｔａｎｄｅｒ）編、１９６９年、モンクレア（Ｍｏｎｔｃｌａｉｒ）、Ｎ．Ｊ．から匂い物質のさらなる例が知られている。
【００６６】
コアが、天然原料の抽出物ならびにそれらの画分、またはそれらから単離された成分；炭化水素；脂肪族アルデヒドおよびそれらのアセタール；脂肪族ケトンおよびそれらのオキシム；脂肪族硫黄含有化合物；脂肪族ニトリル；脂肪族カルボン酸のエステル；非環式テルペンアルコールのホルメート、アセテート、プロピオネート、イソブチレート、ブチレート、イソバレレート、ペンタノエート、ヘキサノエート、クロトネート、チグリネートおよび３−メチル−２−ブテノエート；非環式テルペンアルデヒドおよびケトンならびにそれらのジメチルおよびジエチルアセタール；環状テルペンアルコールのホルメート、アセテート、プロピオネート、イソブチレート、ブチレート、イソバレレート、ペンタノエート、ヘキサノエート、クロトネート、チグリネートおよび３−メチル−２−ブテノエート；環状テルペンアルデヒドおよびケトン；環状および脂環式エーテル；環状および大環状ケトン；脂環式アルデヒド；脂環式ケトン；環状アルコールのエステル；脂環式アルコールのエステル；脂環式カルボン酸のエステル；芳香脂肪族アルコールと脂肪族カルボン酸とのエステル；芳香脂肪族エーテル；芳香族および芳香脂肪族アルデヒド；芳香族および芳香脂肪族ケトン；芳香族および芳香脂肪族カルボン酸およびそれらのエステル；窒素含有芳香族化合物；フェニルエーテルおよびフェニルエステル；複素環化合物；およびラクトンの群由来の個々の匂い物質からなる群から選ばれた１種類以上の匂い物質を含み、シェルが、匂い物質に対して完全にまたは実質的に不浸透性であると特に好ましい。
【００６７】
本発明のカプセルを製造するための適当な芳香物質およびアロマは、好ましくは、例えば、ステッフェン・アークタンダー（Ｓｔｅｆｆｅｎ  Ａｒｃｔａｎｄｅｒ）の「香料およびフレーバー化学品」、自費出版、モンクレア、ニュージャージー（Ｎ．Ｊ．）１９６９年、の「Ｒｉｅｃｈｓｔｏｆｆｅ［芳香物質］；Ｈ．サーバーグ（Ｓｕｒｂｕｒｇ）、Ｊ．パンテン（Ｐａｎｔｅｎ）の「一般芳香物質およびフレーバー材料（Ｃｏｍｍｏｎ  Ｆｒａｇｒａｎｃｅ  ａｎｄ  Ｆｌａｖｏｒ  Ｍａｔｅｒｉａｌｓ」、第５版、ワイリー（Ｗｉｌｅｙ）−ＶＣＨ、２００６年の中に見いだされる。
【００６８】
カプセル化されるフレーバーおよび／またはアロマは、少なくとも２種類のフレーバーおよび／またはアロマのアロマ混合物であり得る。好ましくは、それは、少なくとも３、４または６種類以上のフレーバーおよび／またはアロマの混合物である。ほとんどの場合、アロマ混合物は、多数のフレーバーおよび／またはアロマの混合物である。このことは、カプセルの香気および香味プロファイルに影響を及ぼすことができるという利点を有する。適当なアロマ分子は、当分野において周知であり、例えば米国特許出願公開第２０１７／１９０７２７（Ａ１）号から導かれ得る。アロマ物質またはこれらのアロマ物質は、好ましくは、フレーバー印象、フレーバー調整効果、三叉神経効果および／または唾液分泌刺激を引き起こす。
【００６９】
例示的な冷却剤は、メントールおよびメントール誘導体（例えばＬ−メントール、Ｄ−メントール、ラセミメントール、イソメントール、ネオイソメントール、ネオメントール）、メンチルエーテル（例えば、（ｌ−メントキシ）−１，２−プロパンジオール、（１−メントキシ）−２−メチル−１，２−プロパンジオール、ｌ−メンチルメチルエーテル）、メンチルエステル（例えばメンチルホルメート、メンチルアセテート、メンチルイソブチレート、メンチルラクテート、Ｌ−メンチルＬ−ラクテート、Ｌ−メンチルＤ−ラクテート、メンチル（２−メトキシ）アセテート、メンチル（２−メトキシエトキシ）アセテート、メンチルピログルタメート）、メンチルカーボネート（例えばメンチルプロピレングリコールカーボネート、メンチルエチレングリコールカーボネート、メンチルグリセロールカーボネートまたはそれらの混合物）、メントールとジカルボン酸との半エステルまたはそれらの誘導体（例えばモノメンチルスクシネート、モノメンチルグルタレート、モノメンチルマロネート、Ｏ−メンチルスクシネートＮ，Ｎ−（ジメチル）アミド、Ｏ−メンチルスクシンアミド）、メンタンカルボキサミド（例えばメンタンカルボン酸Ｎ−エチルアミド［ＷＳ３］、Ｎ−α−（メンタンカルボニル）グリシンエチルエステル［ＷＳ５］、メンタンカルボン酸Ｎ−（４−シアノフェニル）アミド、メンタンカルボン酸Ｎ−（アルコキシアルキル）アミド）、メントンおよびメントン誘導体（例えばＬ−メントングリセロールケタール）、２，３−ジメチル−２−（２−プロピル）−ブタン酸誘導体（例えば２，３−ジメチル−２−（２−プロピル）−ブタン酸Ｎ−メチルアミド［ＷＳ２３］）、イソプレゴールまたはそのエステル（１−（−）−イソプレゴール、ｌ−（−）−イソプレゴールアセテート）、メンタン誘導体（例えばｐ−メンタン−３，８−ジオール）、クベボールまたはクベボールを含有する合成もしくは天然ブレンド、シクロアルキルジオン誘導体のピロリドン誘導体（例えば３−メチル−２（１−ピロリジニル）−２−シクロペンテン−１−オン）またはテトラヒドロピリミジン−２−オン（例えば国際公開第２００４／０２６８４０号に記載されているイシリンまたは関連化合物）のうちの１種類以上を含む。
【００７０】
メントール（Ｌ−メントール、Ｄ−メントール、ラセミメントール、イソメントール、ネオイソメントール、ネオメントール）、Ｌ−メンチルメチルエーテル、メンチルホルメート、メンチルアセテート）、メントン、イソプレゴール、Ｉ−（−）−イソプレゴールアセテート）およびクベボールは、フレーバー効果を有する。適当な冷却剤は、当分野において周知であり、例えば米国特許出願公開第２０１７／２１６８０２（Ａ１）号、米国特許出願公開第２０１０／２７３８８７（Ａ１）号、欧州特許出願公開第２０３３６８８（Ａ２）号および欧州特許出願公開第１９５８６２７（Ａ２）号から導かれ得る。
【００７１】
ＴＲＰＶ１／ＴＲＰＶ３モジュレータは、当分野において公知であり、バニロイドの一過性受容体電位チャンネル（ＴＲＰＶ、ｔｒａｎｓｉｅｎｔ  ｒｅｃｅｐｔｏｒ  ｐｏｔｅｎｔｉａｌ  ｃｈａｎｎｅｌｓ  ｏｆ  ｔｈｅ  Ｖａｎｉｌｌｏｉｄ）サブファミリーを指す。ＴＲＰＶ１は、カプサイシンおよびピペリンと関連する刺激性の匂いおよび疼痛／熱感覚を媒介する。ＴＲＰＶ３タンパク質は、温度感覚および血圧調節を含む様々なプロセスにおいて機能する非選択的カチオンチャンネルのファミリーに属する。ＴＲＰＶ３チャンネルは、カルバクロール、チモールおよびオイゲノールのようなさまざまな天然化合物によって直接活性化される。暖かさの感覚を生じさせるかまたは皮膚感作剤であるいくつかの他のモノテルペノイドもこのチャンネルを開くことができる。モノテルペノイドは、カルシウムに依存しない方法でＴＲＰＶ３チャンネルの作動薬特異的脱感作も誘起する。
【００７２】
染料または発色剤の例は、カーボンレス複写紙を製造するために当分野において市販され、イソシアネートと反応しないことが知られているものを含む。例は、トリフェニルメタン化合物、ジフェニルメタン化合物、ビスインドフタリド化合物、ビスアリールカルバゾリルメタン化合物、キサンテン化合物、ベンゾオキサジン化合物、チアジン化合物、およびスピロピラン化合物のタイプの化合物、特にカーボンレス複写紙を製造するための発色剤として用いるために知られているものである。複数の発色剤の混合物も用いることができる。例えば、欧州特許出願公開第５９１，１０６（Ａ）号、欧州特許出願公開第３１５，９０１（Ａ）号、欧州特許出願公開第２３４，３９４（Ａ）号、独国特許出願公開第３，６２２，２６２（Ａ）号、および欧州特許出願公開第１８７，３２９（Ａ）号にいくつかの有用な発色剤が記載されている。
【００７３】
相変化材料は、特定の温度で融解および固化し、大量のエネルギーを貯蔵および放出することができる高い融解熱を有する物質である。これらの材料は、潜熱貯蔵ユニットとして分類することもできる。この種の材料の例は、ステアリン酸、パラフィンおよびワックスである。本発明の別の側面は、本発明によるコア−シェルカプセルを含む製品、好ましくは着香製品に関し、好ましくは、製品は、パーソナルケア製品、ホームケア製品および衣料洗濯ケア製品からなる群から選ばれた消費者商品である。
【００７４】
パーソナルケア製品の例は、シャンプー、リンス、ヘアコンディショナー、石鹸、クリーム、シャワーまたはバスソルトなどのボディーウォッシュ、ボディーソープ、ボディーリキッド、ムース、油またはジェル、衛生製品、化粧品調製物、ボディーローション、デオドラント、制汗剤、ヘアーリフレッシャーおよびローションを含むリーブオンパーソナルケア用途；パーソナルクリーナーまたはサニタイザー；および衣類リフレッシャーなどの衣類ケア製品を含む。リンスオフ製品は、あらゆる物理的形態の液体、固体、ペースト、またはジェルであり得る。
【００７５】
ホームケア製品の例は、固体または液体洗剤、汎用クリーナー、衣類用柔軟剤およびリフレッシャー、アイロン用水および洗剤、柔軟剤およびドライヤーシートを含み、それらの中で、液体、粉体および錠剤洗剤、香気増加剤および衣類用柔軟剤が好ましい。
【００７６】
着香製品は、香料、アフターシェーブローションおよびコロンを含む精密芳香物質製品の形で存在することもある。
【００７７】
好ましい衣料洗濯ケア製品は、洗剤含有調製物、例えば粉体洗剤および液体洗剤ならびに衣類用柔軟剤を含む。洗剤として、食器を洗うためのまたはさまざまな表面を清浄にするための、例えば衣類または硬い表面、例えば床、タイル、石の床等の処理を目的とする洗剤組成物またはクリーニング製品などの製品が含まれる。
【００７８】
本発明の別の側面は、
（ｉ）それぞれ２個以上のイソシアネート基を有する少なくとも１種類の直鎖脂肪族ポリイソシアネートおよび／または少なくとも１種類の分岐脂肪族ポリイソシアネートと、２個以上のイソシアネート基を有する少なくとも１種類の環状脂肪族ポリイソシアネートと、カプセル化される１種類以上のさらなる成分と、任意選択として、１種類以上の溶媒と、を準備するステップであって、
好ましくは、前記環状脂肪族ポリイソシアネートの総量に対する前記直鎖および／または分岐脂肪族ポリイソシアネートの総量の重量比は、９０：１０〜１０：９０、好ましくは７０：３０〜１５：８５、より好ましくは６０：４０〜２０：８０、最も好ましくは５０：５０〜２０：８０の範囲にあるステップと、
（ｉｉ）１種類以上の架橋剤を準備するステップと、
（ｉｉｉ）ステップ（ｉ）の構成要素を含む溶液（１）を製造するステップであって、適用可能な場合、溶液（１）は水溶性でないステップと、
（ｉｖ）ステップ（ｉｉ）の構成要素の水溶液（２）中の溶液（１）の分散物を製造するステップであって、任意選択として、水溶液（２）は、上記に定義される１種類以上のコロイド安定剤をさらに含むステップと、
（ｖ）溶液（１）のポリイソシアネートを溶液（２）の架橋剤と反応させるステップと、
（ｖｉ）任意選択として、続いて反応混合物の温度を４０〜８０℃の範囲に０．５〜５時間維持するステップと、
を含む、コア−シェルカプセル、好ましくは本発明によるコア−シェルカプセルを製造するためのプロセスであって、好ましくは、前記プロセスのステップのいずれにおいても芳香族ポリイソシアネートは、準備されることも反応することも使用されることもないプロセスに関する。
【００７９】
上記で定義されるように、芳香族ポリイソシアネートは、２個以上のイソシアネート残基が芳香族Ｃ−原子に直接結合している化合物およびそれらの誘導体であり、誘導体の各々は、２個以上のイソシアネート基を含み、ビウレット、イソシアヌレート、ウレトジオン、イミノオキサジアジンジオンおよびトリメチロールプロパン付加体からなる群から選ばれた１種類以上の基をさらに含む。前記芳香族ポリイソシアネート誘導体は、前記芳香族ポリイソシアネートと多価アルコール（例えばグリセリン）、ポリアミン、ポリチオール（例えばジメルカプロール）および／またはそれらの混合物との反応によっても得られ得る。
【００８０】
好ましくは、本発明によるプロセスにおいて用いられる直鎖および／または分岐ならびに環状脂肪族ポリイソシアネートのどれもいずれかの芳香族構造をまったく含まない。
【００８１】
ステップ（ｉ）の脂肪族ポリイソシアネートが脂肪族ポリイソシアネートの２成分または３成分混合物のどちらかを含むことが直ちに理解されるだろう。２成分混合物は、それぞれ２個以上のイソシアネート基を有する少なくとも１種類の直鎖脂肪族ポリイソシアネートと少なくとも１種類の環状脂肪族ポリイソシアネートとの混合物を含む。代りの２成分混合物は、それぞれ２個以上のイソシアネート基を有する少なくとも１種類の分岐脂肪族ポリイソシアネートと少なくとも１種類の環状脂肪族ポリイソシアネートとの混合物である。好ましくは、各々がそれぞれ２個以上のイソシアネート基を有する少なくとも１種類の直鎖脂肪族ポリイソシアネート、少なくとも１種類の分岐脂肪族ポリイソシアネート、および少なくとも１種類の環状脂肪族ポリイソシアネートの３成分混合物が包含される。使用される可能性がある溶媒は、上記に示されている。
【００８２】
従って、好ましいコア−シェルカプセルであって、シェルは、ポリマー材料を含むかまたはからなり、ポリマー材料は、構成要素（Ａ）を構成要素（Ｂ）と反応させることによって製造されるかまたは製造可能であり、構成要素（Ａ）は、２個以上のイソシアネート基を有する少なくとも１種類の直鎖脂肪族ポリイソシアネートと２個以上のイソシアネート基を有する少なくとも１種類の環状脂肪族ポリイソシアネートとを含むかまたはからなり、好ましくは、前記環状脂肪族ポリイソシアネートの総量に対する前記直鎖脂肪族ポリイソシアネートの総量の重量比は、９０：１０〜１０：９０、好ましくは７０：３０〜１５：８５、より好ましくは６０：４０〜２０：８０、最も好ましくは５０：５０〜２０：８０の範囲にあり、構成要素（Ｂ）は、１種類以上の架橋剤を含むかまたはからなるコア−シェルカプセルが提供され得る。
【００８３】
従って、別の好ましいコア−シェルカプセルであって、シェルは、ポリマー材料を含むかまたはからなり、ポリマー材料は、構成要素（Ａ）を構成要素（Ｂ）と反応させることによって製造されるかまたは製造可能であり、構成要素（Ａ）は、２個以上のイソシアネート基を有する少なくとも１種類の分岐脂肪族ポリイソシアネートと２個以上のイソシアネート基を有する少なくとも１種類の環状脂肪族ポリイソシアネートとを含むかまたはからなり、好ましくは、前記環状脂肪族ポリイソシアネートの総量に対する前記分岐脂肪族ポリイソシアネートの総量の重量比は、９０：１０〜１０：９０、好ましくは７０：３０〜１５：８５、より好ましくは６０：４０〜２０：８０、最も好ましくは５０：５０〜２０：８０の範囲にあり、構成要素（Ｂ）は、１種類以上の架橋剤を含むかまたはからなる別のコア−シェルカプセルが提供され得る。
【００８４】
従って、さらに別の好ましいコア−シェルカプセルであって、シェルは、ポリマー材料を含むかまたはからなり、ポリマー材料は、構成要素（Ａ）を構成要素（Ｂ）と反応させることによって製造されるかまたは製造可能であり、構成要素（Ａ）は、それぞれ２個以上のイソシアネート基を有する少なくとも１種類の直鎖脂肪族ポリイソシアネートおよび少なくとも１種類の分岐脂肪族ポリイソシアネートと２個以上のイソシアネート基を有する少なくとも１種類の環状脂肪族ポリイソシアネートとを含むかまたはからなり、好ましくは、前記環状脂肪族ポリイソシアネートの総量に対する前記直鎖および／または分岐脂肪族ポリイソシアネートの総量の重量比は、９０：１０〜１０：９０、好ましくは７０：３０〜１５：８５、より好ましくは６０：４０〜２０：８０、最も好ましくは５０：５０〜２０：８０の範囲にあり、構成要素（Ｂ）は、１種類以上の架橋剤を含むかまたはからなるさらに別のコア−シェルカプセルが提供され得る。
【００８５】
既に上記で示したように、ステップ（ｉｉ）において準備される架橋剤は、安定な結合を形成しながらイソシアネートと反応することができる少なくとも２個の官能基を有するあらゆる化合物であり得る。架橋剤は、好ましくは、安定な結合を形成しながらイソシアネートと反応することができる少なくとも２、３、４、５、６、７、８、９または１０個（以上）の官能基を含む。官能基は、ポリオール、ポリアミンまたはポリチオール、例えばグリセリンにおけるように同じであることもあるいはアルカノールアミン、アミノチオールまたはチオアルコール、例えばジメルカプロールにおけるように異なることもある。異なる架橋剤のあらゆる組合せが使用され得る。ポリアミンが好ましい架橋剤である。
【００８６】
あるいは、ステップ（ｉｉ）において、架橋剤の形成を起こさせるあらゆる他のタイプの分子が準備される。そのような分子の好ましい例は、水である。水分子は、ポリアミンを形成しながら脂肪族ポリイソシアネートの一部分と反応することがあり、ポリアミンが今度はポリマー材料を形成しながら脂肪族ポリイソシアネートの残りの部分と反応し、シェルを形成する。従って、ステップ（ｉｉ）は、「架橋剤の形成を起こさせる１種類以上の分子を準備し、好ましくは、架橋剤の形成を起こさせる１種類以上の分子は、水を含む」ように導かれ得る。当業者は、この場合、本発明によるプロセスを適切に適応させるだろう。
【００８７】
溶液（１）のポリイソシアネートを溶液（２）の架橋剤と反応させるステップ（ｖ）は、あらゆる温度で、好ましくは４０〜８０℃、より好ましくは５０〜７５℃または６０〜７０℃の温度で行われ得る。
【００８８】
続いて反応混合物の温度を４０〜８０℃の範囲に０．５〜５時間維持する任意選択のステップ（ｖｉ）は、好ましくは、ステップ（ｖ）と同じ温度で行われる。反応混合物の温度を所望の範囲に維持するための好ましい時間は、０．７５〜４時間、例えば１〜３時間または２時間である。
【００８９】
別の好ましい実施形態によれば、ステップ（ｉ）の直鎖または分岐脂肪族ポリイソシアネートは、ペンタメチレンジイソシアネート（ＰＤＩ、例えば三井化学株式会社、日本によるスタビオＤ−３７０ＮまたはＤ−３７６Ｎ）、ヘキサメチレンジイソシアネート（ＨＤＩ）、エチルエステルリジントリイソシアネート、リジンジイソシアネートエチルエステルおよびそれらの誘導体からなる群から選ばれ、好ましくは、誘導体の各々は、２個以上のイソシアネート基を含み、ビウレット、イソシアヌレート、ウレトジオン、イミノオキサジアジンジオンおよびトリメチロールプロパン付加体からなる群から選ばれた１種類以上の基を任意選択としてさらに含み、および／または、環状脂肪族ポリイソシアネートは、イソホロンジイソシアネート（ＩＰＤＩ）、１，３−ビス（イソシアナトメチル）シクロヘキサン（Ｈ６ＸＤＩ、例えば三井化学株式会社、日本によるタケネート６００）、１，２−ビス（イソシアナトメチル）シクロヘキサン、１，４−ビス（イソシアナト−メチル）シクロヘキサン、メチレンビス（シクロヘキシルイソシアネート）（Ｈ１２ＭＤＩ）およびそれらの誘導体からなる群から選ばれ、好ましくは、誘導体の各々は、２個以上のイソシアネート基を含み、ビウレット、イソシアヌレート、ウレトジオン、イミノオキサジアジンジオンおよびトリメチロールプロパン付加体（例えばＨ６ＸＤＩのＴＭＰ付加体、特に日本の三井化学株式会社によるタケネートＤ−１２０Ｎ）からなる群から選ばれた１種類以上の基を任意選択としてさらに含む。
【００９０】
上述の化合物の異性体および誘導体は、上記に示されるように包含され得る。
【００９１】
本発明の別の側面は、上記で定義されるプロセスによって製造されるかまたは製造可能である本発明によるコア−シェルカプセルが提供されることに関する。
【００９２】
本発明のさらに別の側面は、衣類、髪、皮膚、表面および／環境空気に着香する本発明によるコア−シェルカプセル、または好ましくは、本発明による製品の使用に関する。
【００９３】
本発明によるコア−シェルカプセルのこの使用は、好ましくは、本コア−シェルカプセルを含む上述の製品、好ましくは着香製品を使用することによって行われる。製品は、好ましくは、パーソナルケア製品、ホームケア製品および衣料洗濯ケア製品からなる群から選ばれた消費者商品製品である。
【００９４】
本発明の文脈において、表現「有する／含有する」または「有している／含有している」は、完結していない列挙を指定し、明示的に名を挙げた構成要素とは別の他の構成要素を除外しない。
【００９５】
本発明の文脈において、表現「からなる」または「からなっている」は、完結した列挙を指定し、明示的に名を挙げた構成要素とは別のあらゆる他の構成様を除外する。
【００９６】
本発明の文脈において、表現「基本的に、からなる」または「基本的に、からなっている」は、部分的に閉じた列挙を指定し、名を挙げた構成要素とは別に本発明による調製物の性格を実質的に変化させないようなさらなる構成要素だけを有する調製物を指定する。
【００９７】
本発明の文脈において表現「有する」または「有している」を用いて調製物が記載されるとき、このことは、前記構成要素からなるかまたは基本的に前記構成要素からなる調製物を明示的に含む。
【００９８】
本発明のこれらの側面および他の側面は、以下に記載される実施形態から明らかになり、かつこれらの実施形態を参照して解明されるだろう。
【図面の簡単な説明】
【００９９】
【図１】コア−シェルカプセルを製造するためのプロセスの好ましい実施形態の概略図を示す。
【図２】０．２％のカプセルスラリー水希釈物がスプレーされたペーパータオルからの芳香物質放出を示す。
【図３】処理を行った試験衣類の擦り後および揉み後における、新鮮なうちに調製された衣類用柔軟剤試料からの、カプセルの芳香物質放出を示す。
【図４】処理を行った試験衣類の擦り後および揉み後における、衣類柔軟剤中の、４０℃で４週間貯蔵されたカプセルからの芳香物質放出を示す。
【図５】本発明によるコア−シェルカプセルの時間の経過に伴う破裂を示す。
【図６】処理を行った試験衣類の擦り後および揉み後における、新鮮なうちに調製された衣類用柔軟剤試料からの、カプセルの芳香物質放出を示す。
【発明を実施するための形態】
【０１００】
図１において、コア−シェルカプセルを製造するための本発明による例示的なプロセスの概略図が示される。内部相は、イソシアネート前駆体、すなわち、それぞれ２個以上のイソシアネート基を有する少なくとも１種類の直鎖脂肪族ポリイソシアネートおよび／または少なくとも１種類の分岐脂肪族ポリイソシアネートと２個以上のイソシアネート基を有する少なくとも１種類の環状脂肪族ポリイソシアネートとを含むかまたはからなる構成要素（Ａ）を、芳香物質および／または（別の）他の活性成分と十分に混合することによって調製される。別のビーカー中で、構成分を水中で十分に混合することによって保護コロイドを含む外部相が調製される。次のステップにおいて、水中の芳香物質の乳化物を得るために内部相と外部相とが十分に混合される。続いて、架橋剤が加えられ、芳香物質および／または他の活性成分を封じ込めているコア−シェルカプセルが硬化するまで混合が続けられる。すべてのステップは、好ましくは、例えば、従来のタービン撹拌機またはディソルバーディスクを使用して十分に混合しながら行われる。一般に、乳化物を調製するために高剪断混合／スタティック混合が使用され得る。
【０１０１】
表１は、衣類用柔軟剤中のカプセルの分析貯蔵安定性を示す。
【０１０２】
【表１】
2021528226.tif 000003
表１：芳香物質トムキャップ（Ｔｏｍｃａｐ）／ＶＯＴ（植物油トリグリセリド（ｖｅｇｅｔａｂｌｅ  ｏｉｌ  ｔｒｉｇｌｙｃｅｒｉｄｅ））を封じ込めている本発明により調製されたコア−シェルカプセルの実施例。
【０１０３】
本発明によるカプセルを含有する衣類用柔軟剤で処理したタオルが擦りおよび揉みに付された。擦り前、擦り後および揉み後に試料の嗅覚強度が１から９のスケールで評価された。着香されていない柔軟剤基材で処理されたタオルについて同じことが行われた。予測された通りに、着香されていない柔軟剤基材は、有意な匂いの発生をまったく示さない。すべての実施例において、本発明によって調製されたカプセルは、技術水準によって調製された基準試料以上の強度を示す。衣類用柔軟剤調合物に加えられた直後の本発明によるカプセル（図３参照）は、衣類用柔軟剤中４週間の貯蔵後の本発明によるカプセル（図４参照、４０℃においてプラスチックバッグ中に詰めた）と同じ傾向を示す。図３に示す試験が繰り返され、結果が確かめられた（図６）。
【０１０４】
図５は、衣類用柔軟剤中のカプセルの貯蔵時間の経過に伴う破裂を示す。本発明によって調製されたすべてのカプセルが保存後に基準試料（技術水準によるカプセル）および着香されていない試料より顕著に高い嗅覚強度を示すことが示されている。
【０１０５】
図面および上記の記載において本発明が詳細に図示および記載されたが、そのような図示および記載は、図示的または例示的であり限定的ではないとみなされるべきである。本発明は、開示された実施形態に限定されない。開示された実施形態の他の変化形は、請求された発明を実施する際に図面、開示および添付の請求項の吟味から当業者によって理解され、実行されることができる。
【０１０６】
本発明によるコア−シェルカプセルの（好ましい）実施形態に関して本明細書中に述べられたことは、本明細書中に記載された発明による製品、プロセスおよび使用に適用される。従って、本明細書中に記載されている実施形態は、―技術的に意味がある限り―互いに組合せ可能である。
【０１０７】
請求項において、語「を含む」は、他の要素またはステップを除外せず、不定冠詞「ａ」または「ａｎ」は、複数を除外しない。単独の要素または他の単位は、請求項中に挙げられているいくつかの項目の機能を満たし得る。互いに異なる独立クレーム中に特定の指標が記載されているという単なる事実は、これらの指標の組合せが有利に用いられることができないことを示さない。請求項中のいかなる参照符号も範囲を限定すると解釈するべきではない。
【０１０８】
以下において、実施例によって本発明が記載されるが、本発明は、下記の実施例に限定されない。
【実施例】
【０１０９】
実施例１：本発明によるカプセルスラリー
０．７ｇのポリビニルアルコール（例えばセルボ（Ｃｅｌｖｏ）５２３、セキスイスペシャリティケミカルズヨーロッパ社（Ｓｅｋｉｓｕｉ  Ｓｐｅｃｉａｌｉｔｙ  Ｃｈｅｍｉｃａｌｓ  Ｅｕｒｏｐｅ，Ｓ．Ｌ．）、スペイン）を２５０ｇの脱イオン水に溶解させることによって外部相を作り出す。５ｇのＨ６ＸＤＩ（例えばタケネート６００、三井化学株式会社、日本）および５ｇのＰＤＩ（例えばスタビオ（Ｓｔａｂｉｏ）Ｄ−３７６Ｘ、三井化学株式会社、日本）を９５ｇの２６６４８５  トムキャップ（ＴＯＭＣＡＰ）および９５ｇの１９２０６０植物油トリグリセリド（共にシムライズ（Ｓｙｍｒｉｓｅ）ＡＧホルツミンデン（Ｈｏｌｚｍｉｎｄｅｎ））に溶解させる。この溶液を外部相中で約２０μｍの粒径分布に達するまで乳化させる。３０ｇの水の中の５ｇの炭酸グアニジニウムの溶液（アルドリッチ（Ａｌｄｒｉｃｈ）、ドイツ）を加え、この系を７０℃まで加熱する。撹拌しながらこの温度を２〜５時間維持する。溶液を室温に冷却し、０，６ｇのケルコビス（ＫｅｌｃｏＶｉｓ）ＤＧ（ＣＰケルコ（Ｋｅｌｃｏ）、フランス）を加える。
【０１１０】
実施例２：技術水準によるカプセルスラリー
２，５ｇのポリビニルアルコール（例えばセキスイスペシャリティケミカルズヨーロッパ社のセルボ５２３、スペイン）を２５０ｇの脱イオン水に溶解させることによって外部相を作り出す。２ｇのＭＤＩ（フェンノカップ（Ｆｅｎｎｏｃａｐ）２３０１、ケミラケミカルズ（Ｋｅｍｉｒａ  Ｃｈｅｍｉｃａｌｓ）、米国）および８ｇのＨＤＩ（デスモデュール（Ｄｅｓｍｏｄｕｒ）Ｎ３４００、コベストロ（Ｃｏｖｅｓｔｒｏ）、ドイツ）を９５ｇの２６６４８５トムキャップおよび９５ｇの１９２０６０植物油トリグリセリド（共にシムライズＡＧホルツミンデン）に溶解させる。この溶液を外部相中で約２０μｍの粒径分布に達するまで乳化させる。次に、３０ｇの脱イオン水中の５ｇの炭酸グアニジニウムの溶液（アルドリッチ、ドイツ）を加え、この系を７０℃まで加熱する。撹拌しながらこの温度を２〜５時間維持する。溶液を室温に冷却し、０，６ｇのケルコビス（ＣＰケルコ、フランス）を加える。
【０１１１】
実施例３：本発明によるカプセルスラリー
０．７ｇのポリビニルアルコール（例えばセルボ５２３、セキスイスペシャリティケミカルズヨーロッパ社、スペイン）を２５０ｇの脱イオン水に溶解させることによって外部相を作り出す。６ｇのＨ６ＸＤＩ（例えばタケネート６００、三井化学株式会社、日本）および４ｇのＨＤＩ（デスモデュールＮ３４００、コベストロ、ドイツ）を９５ｇの２６６４８５トムキャップおよび９５ｇの１９２０６０植物油トリグリセリド（共にシムライズＡＧホルツミンデン）に溶解させる。この溶液を外部相中で約２０μｍの粒径分布に達するまで乳化させる。次に、３０ｇの脱イオン水中の５ｇの炭酸グアニジニウムの溶液（アルドリッチ、ドイツ）を加え、この系を７０℃まで加熱する。撹拌しながらこの温度を２〜５時間維持する。溶液を室温に冷却し、０，６ｇのケルコビスＤＧ（ＣＰケルコ、フランス）を加える。
【０１１２】
実施例４：本発明によらないカプセル
０．７ｇのポリビニルアルコール（例えばセルボ５２３、セキスイスペシャリティケミカルズヨーロッパ社、スペイン）を２５０ｇの脱イオン水に溶解させることによって外部相を作り出す。２ｇのＭＤＩ（デスモデュールＭ４４、コベストロ、ドイツ）および８ｇのＨＤＩ（デスモデュールＮ３４００、コベストロ、ドイツ）を９５ｇの２６６４８５トムキャップおよび９５ｇの１９２０６０植物油トリグリセリド（共にシムライズＡＧ、ホルツミンデン）に溶解させる。この溶液を外部相中で約２０μｍの粒径分布に達するまで乳化させる。次に、３０ｇの脱イオン水中の５ｇの炭酸グアニジニウムの溶液（アルドリッチ、ドイツ）を加え、この系を７０℃まで加熱する。撹拌しながらこの温度を２〜５時間維持する。溶液を室温に冷却し、０，６ｇのケルコビスＤＧ（ＣＰケルコ、フランス）を加える。
【０１１３】
衣類用柔軟剤中の分析的安定性の試験
約１７重量％のエステルコート（ｅｓｔｅｒ  ｑｕａｔ）含量を有する着香していない衣類用柔軟剤試験調合物を１重量％のカプセルスラリーと混合し、４０℃で貯蔵した。それぞれ、１；４；８および１２週間の貯蔵期間後に、上部空気相中のヘッドスペース測定の助けを借りてカプセルから基材中に拡散した芳香物質原料の量を決定した。報告した値は、貯蔵後に依然カプセル中に残っている芳香物質油の百分率である。
【０１１４】
感覚性能試験
【０１１５】
方法Ａ
得られたカプセル分散物の０，２％水希釈物をペーパータオル（カトリン（Ｋａｔｒｉｎ）（登録商標））クラシック（Ｃｌａｓｓｉｃ）工業用タオルＸＸＬ２５００ブルー、メッツェティッシュ（Ｍｅｔｓａｅ  Ｔｉｓｓｕｅ）ＧｍｂＨ、クロイツァウ（Ｋｒｅｕｚａｕ）、ドイツ）にスプレーする。環境温度で２日間乾燥した後、試料の感覚性能を試験した。経験を積んだ５名の試験者のパネルによって擦り前、擦り後および揉み後のタオルからの嗅覚強度を決定した。１（検出可能な匂いなし）から９（非常に強い匂い）のスケールによって嗅覚強度を判定した。
【０１１６】
方法Ｂ
着香していない衣類用柔軟剤試験調合物を０，３重量％のカプセルスラリーと混合した。これらの試料をそれぞれ０；１；４および８週間貯蔵した。それぞれの場合に、標準的なヨーロッパの家庭用洗濯機中で２０ｇの柔軟剤カプセルスラリー混合物をパイル織りタオルに洗い込んだ。脱水サイクル後にタオルを洗濯機から取り出し、ひもにかけて乾燥した。続いて、経験を積んだ１１名の試験者のパネルによって擦り前（「処理なし」）、擦り後および揉み後のタオルから嗅覚強度を決定した。１（検出可能な匂いなし）から９（非常に強い匂い）のスケールによって嗅覚強度を判定した。
【０１１７】
衣類用柔軟剤試験調合物
【０１１８】
【表２】
2021528226.tif 000004
【図１】
2021528226.tif 000005
【図２】
2021528226.tif 000006
【図３】
2021528226.tif 000007
【図４】
2021528226.tif 000008
【図５】
2021528226.tif 000009
【図６】
2021528226.tif 000010
【国際調査報告】
2021528226.tif 000011
2021528226.tif 000012